(57)【要約】  本願の実施例は複数のダウンリンクチャネル伝送をサポートする参照信号の測定及びフィードバックを実現することのできる無線通信方法及び装置を提供し、該方法は、端末装置が複数の参照信号を測定することと、前記端末装置が測定結果に基づき、前記複数の参照信号のうちの各参照信号に対応する、ランクインジケータを含む報告情報を決定することと、前記端末装置が前記各参照信号に対応する、ランクインジケータを含む報告情報をネットワーク側に送信することと、を含む。
2020530216.tif 000002
【特許請求の範囲】
【請求項１】
無線通信方法であって、
端末装置が複数の参照信号を測定することと、
前記端末装置が測定結果に基づき、前記複数の参照信号のうちの各参照信号に対応する、ランクインジケータを含む報告情報を決定することと、
前記端末装置が前記各参照信号に対応する、ランクインジケータを含む報告情報をネットワーク側に送信することと、を含むことを特徴とする、前記無線通信方法。
【請求項２】
前記複数の参照信号が、前記端末装置にサービスを共同で提供する複数の送信ノード又は複数のダウンリンク送信ビームからのものであることを特徴とする
請求項１に記載の方法。
【請求項３】
前記端末装置が前記各参照信号に対応する、ランクインジケータを含む報告情報をネットワーク側に送信することは、
前記端末装置が、前記参照信号自体に対応する、ランクインジケータを含む報告情報をそれぞれ前記参照信号の送信側に送信することを含むことを特徴とする
請求項１又は２に記載の方法。
【請求項４】
前記各参照信号に対応する報告情報内のランクインジケータの値が、前記端末装置の能力に対応する値以下であり、及び／又は前記端末装置に構成された前記各参照信号のそれぞれに対応するポート数値以下であることを特徴とする
請求項１〜３のいずれか１項に記載の方法。
【請求項５】
前記複数の参照信号に対応する報告情報内のランクインジケータの値の和が、前記端末装置の能力に対応する値以下であることを特徴とする
請求項１〜４のいずれか１項に記載の方法。
【請求項６】
前記端末装置が前記各参照信号に対応する、ランクインジケータを含む報告情報をネットワーク側に送信することは、
第１メッセージを前記複数の参照信号のうちの少なくとも１つの第１参照信号の送信側に送信することであって、前記第１メッセージが、前記第１参照信号に対応する、ランクインジケータを含む報告情報を含むこと、を含み、
前記第１メッセージは、更に前記複数の参照信号のうちの少なくとも１つの第２参照信号に対応する報告情報に含まれるランクインジケータを含むことを特徴とする
請求項１〜４のいずれか１項に記載の方法。
【請求項７】
前記複数の参照信号に対応する報告情報内のランクインジケータの値の和が前記端末装置の能力に対応する値より大きい
請求項６に記載の方法。
【請求項８】
前記各参照信号に対応する報告情報内のランクインジケータの値がそれぞれに対応する報告情報内のランクインジケータの最大値以下であり、又は、
前記複数の参照信号に対応する報告情報内のランクインジケータの値の和が前記複数の参照信号に対応する報告情報内のランクインジケータの値の和の最大値以下であることを特徴とする
請求項１〜６のいずれか１項に記載の方法。
【請求項９】
前記端末装置が測定結果に基づき、前記複数の参照信号のうちの各参照信号に対応する、ランクインジケータを含む報告情報を決定することは、
前記端末装置が、自身の能力に基づき、前記各参照信号に対応する報告情報内のランクインジケータの最大値を決定することと、
前記各参照信号に対応する報告情報内のランクインジケータの最大値及び前記測定結果に基づき、前記各参照信号のそれぞれに対応する、ランクインジケータを含む報告情報を決定することと、を含むことを特徴とする
請求項８に記載の方法。
【請求項１０】
前記各参照信号に対応する報告情報内のランクインジケータの最大値が、前記端末装置の能力に対応する値を前記複数の参照信号の数で割った値を切り下げた値に等しいことを特徴とする
請求項９に記載の方法。
【請求項１１】
前記方法は、更に、
前記端末装置が、ネットワーク側からの第１構成情報を受信することを含み、前記第１構成情報は、
前記各参照信号に対応する報告情報内のランクインジケータの最大値、及び／又は、
前記複数の参照信号に対応する報告情報内のランクインジケータの値の和の最大値を示すことに用いられることを特徴とする
請求項８に記載の方法。
【請求項１２】
異なる参照信号の第１構成情報が、前記参照信号のインデックスで区別されることを特徴とする
請求項１１に記載の方法。
【請求項１３】
前記第１構成情報は前記参照信号の設定構成に含まれ、又は前記参照信号を測定するように前記端末装置をトリガーするトリガー信号に含まれ、又は前記第１構成情報専用のダウンリンク制御情報ＤＣＩに含まれることを特徴とする
請求項１２に記載の方法。
【請求項１４】
異なる参照信号の第１構成情報が前記報告情報のインデックスで区別されることを特徴とする
請求項１１に記載の方法。
【請求項１５】
前記第１構成情報は前記報告情報の設定構成に含まれ、又は報告するように前記端末装置をトリガーするトリガー信号に含まれ、又は前記第１構成情報専用のＤＣＩに含まれることを特徴とする
請求項１４に記載の方法。
【請求項１６】
前記方法は、更に、
前記端末装置が、ネットワーク側からの第２構成情報を受信することを含み、前記第２構成情報が、前記各参照信号に対して構成されたポート数を含み、前記複数の参照信号に対して構成されたポート数の和が前記端末装置の能力に対応する値以下であることを特徴とする
請求項１〜６のいずれか１項に記載の方法。
【請求項１７】
前記方法は、更に、
前記端末装置が、測定すべき参照信号が前記複数の参照信号であることを示すためのネットワーク側からの第３構成情報を受信することを含むことを特徴とする
請求項１〜１６のいずれか１項に記載の方法。
【請求項１８】
無線通信方法であって、
第１送信ノードが、端末装置から送信された第１メッセージを受信することであって、前記第１メッセージが、前記第１送信ノードから送信された参照信号に対応する、ランクインジケータを含む報告情報と、第２送信ノードから送信された参照信号に対応する報告情報に含まれるランクインジケータとを含む、ことと、
前記第１メッセージに基づき、第１送信ノードが前記端末装置へダウンリンク信号を送信する伝送層の層数を決定することと、を含むことを特徴とする、前記無線通信方法。
【請求項１９】
前記第１メッセージに基づき、第１送信ノードが前記端末装置へダウンリンク信号を送信する伝送層の層数を決定することは、
前記第１送信ノードと前記第２送信ノードの優先度順序及び前記第１メッセージに基づき、前記第１送信ノードが前記端末装置へ前記ダウンリンク信号を送信する伝送層の層数を決定することを含むことを特徴とする
請求項１８に記載の方法。
【請求項２０】
前記第１送信ノードと前記第２送信ノードの優先度順序及び前記第１メッセージに基づき、前記第１送信ノードが前記端末装置へ前記ダウンリンク信号を送信する伝送層の層数を決定することは、
前記第１送信ノードの優先度が前記第２送信ノードの優先度より高い場合、前記第１送信ノードの参照信号に対応する報告情報内のランクインジケータの値を、前記第１送信ノードが前記端末装置へ前記ダウンリンク信号を送信する伝送層の層数として決定することを含むことを特徴とする
請求項１９に記載の方法。
【請求項２１】
前記第１送信ノードと前記第２送信ノードの優先度順序及び前記第１メッセージに基づき、第１送信ノードが前記端末装置へ前記ダウンリンク信号を送信する伝送層の層数を決定することは、
前記第１送信ノードの優先度が前記第２送信ノードより低い場合、前記端末装置のサポートする最大伝送層層数と前記第１送信ノードの参照信号に対応する報告情報内のランクインジケータの値との差を、前記端末装置へ前記ダウンリンク信号を送信する伝送層の層数として決定することを含むことを特徴とする
請求項１９に記載の方法。
【請求項２２】
前記第１メッセージに基づき、第１送信ノードが前記端末装置へ前記ダウンリンク信号を送信する伝送層の層数を決定することは、
前記第１メッセージに基づき、前記第１送信ノードと前記第２送信ノードとが、前記端末装置へ前記ダウンリンク信号を送信する伝送層の層数を協議することを含むことを特徴とする
請求項１８に記載の方法。
【請求項２３】
端末装置であって、
複数の参照信号を測定し、測定結果に基づき、前記複数の参照信号のうちの各参照信号に対応する、ランクインジケータを含む報告情報を決定するように構成される処理ユニットと、
前記各参照信号に対応する、ランクインジケータを含む報告情報をネットワーク側に送信するように構成される通信ユニットと、を備えることを特徴とする、前記端末装置。
【請求項２４】
前記複数の参照信号が、前記端末装置にサービスを共同で提供する複数の送信ノード又は複数のダウンリンク送信ビームからのものであることを特徴とする
請求項２３に記載の端末装置。
【請求項２５】
前記通信ユニットは、更に、
前記参照信号自体に対応する、ランクインジケータを含む報告情報をそれぞれ前記参照信号の送信側に送信することに用いられることを特徴とする
請求項２３又は２４に記載の端末装置。
【請求項２６】
前記各参照信号に対応する報告情報内のランクインジケータの値が、前記端末装置の能力に対応する値以下であり、及び／又は前記端末装置に構成された前記各参照信号のそれぞれに対応するポート数値以下であることを特徴とする
請求項２３〜２５のいずれか１項に記載の端末装置。
【請求項２７】
前記複数の参照信号に対応する報告情報内のランクインジケータの値の和が、前記端末装置の能力に対応する値以下であることを特徴とする
請求項２３〜２６のいずれか１項に記載の端末装置。
【請求項２８】
前記通信ユニットは、更に、
第１メッセージを前記複数の参照信号のうちの少なくとも１つの第１参照信号の送信側に送信するように構成され、前記第１メッセージが、前記第１参照信号に対応する、ランクインジケータを含む報告情報を含み、
前記第１メッセージは、更に前記複数の参照信号のうちの少なくとも１つの第２参照信号に対応する報告情報に含まれるランクインジケータを含むことを特徴とする
請求項２３〜２６のいずれか１項に記載の端末装置。
【請求項２９】
前記複数の参照信号に対応する報告情報内のランクインジケータの値の和が前記端末装置の能力に対応する値より大きい
請求項２８に記載の端末装置。
【請求項３０】
前記各参照信号に対応する報告情報内のランクインジケータの値がそれぞれに対応する報告情報内のランクインジケータの最大値以下であり、又は、
前記複数の参照信号に対応する報告情報内のランクインジケータの値の和が前記複数の参照信号に対応する報告情報内のランクインジケータの値の和の最大値以下であることを特徴とする
請求項２３〜２８のいずれか１項に記載の端末装置。
【請求項３１】
前記処理ユニットは、更に、
自身の能力に基づき、前記各参照信号に対応する報告情報内のランクインジケータの最大値を決定し、
前記各参照信号に対応する報告情報内のランクインジケータの最大値及び前記測定結果に基づき、前記各参照信号のそれぞれに対応する、ランクインジケータを含む報告情報を決定するように構成されることを特徴とする
請求項３０に記載の端末装置。
【請求項３２】
前記各参照信号に対応する報告情報内のランクインジケータの最大値が、前記端末装置の能力に対応する値を前記複数の参照信号の数で割った値を切り下げた値に等しいことを特徴とする
請求項３１に記載の端末装置。
【請求項３３】
前記通信ユニットは、更に、
前記端末装置がネットワーク側からの第１構成情報を受信するように構成され、前記第１構成情報は、
前記各参照信号に対応する報告情報内のランクインジケータの最大値、及び／又は、
前記複数の参照信号に対応する報告情報内のランクインジケータの値の和の最大値を示すことに用いられることを特徴とする
請求項３０に記載の端末装置。
【請求項３４】
異なる参照信号の第１構成情報が、前記参照信号のインデックスで区別されることを特徴とする
請求項３３に記載の端末装置。
【請求項３５】
前記第１構成情報は前記参照信号の設定構成に含まれ、又は前記参照信号を測定するように前記端末装置をトリガーするトリガー信号に含まれ、又は前記第１構成情報専用のダウンリンク制御情報ＤＣＩに含まれることを特徴とする
請求項３４に記載の端末装置。
【請求項３６】
異なる参照信号の第１構成情報が前記報告情報のインデックスで区別されることを特徴とする
請求項３３に記載の端末装置。
【請求項３７】
前記第１構成情報は前記報告情報の設定構成に含まれ、又は報告するように前記端末装置をトリガーするトリガー信号に含まれ、又は前記第１構成情報専用のＤＣＩに含まれることを特徴とする
請求項３６に記載の端末装置。
【請求項３８】
前記通信ユニットは、更に、
ネットワーク側からの第２構成情報を受信するように構成され、前記第２構成情報が、前記各参照信号に対して構成されたポート数を含み、前記複数の参照信号に対して構成されたポート数の和が前記端末装置の能力に対応する値以下であることを特徴とする
請求項２３〜２８のいずれか１項に記載の端末装置。
【請求項３９】
前記通信ユニットは、更に、
測定すべき参照信号が前記複数の参照信号であることを示すためのネットワーク側からの第３構成情報を受信するように構成されることを特徴とする
請求項２３〜３８のいずれか１項に記載の端末装置。
【請求項４０】
送信ノードであって、
前記送信ノードが第１送信ノードであり、前記送信ノードは、
端末装置から送信された第１メッセージを受信するように構成される通信ユニットであって、前記第１メッセージが、前記第１送信ノードから送信された参照信号に対応する、ランクインジケータを含む報告情報と、第２送信ノードから送信された参照信号に対応する報告情報に含まれるランクインジケータとを含む通信ユニットと、
前記第１メッセージに基づき、前記端末装置へダウンリンク信号を送信する伝送層の層数を決定するように構成される処理ユニットと、を備えることを特徴とする、前記送信ノード。
【請求項４１】
前記処理ユニットは、更に、
前記第１送信ノードと前記第２送信ノードの優先度順序及び前記第１メッセージに基づき、前記端末装置へ前記ダウンリンク信号を送信する伝送層の層数を決定するように構成されることを特徴とする
請求項４０に記載の送信ノード。
【請求項４２】
前記処理ユニットは、更に、
前記第１送信ノードの優先度が前記第２送信ノードの優先度より高い場合、前記第１送信ノードの参照信号に対応する報告情報内のランクインジケータの値を、前記第１送信ノードが前記端末装置へ前記ダウンリンク信号を送信する伝送層の層数として決定するように構成されることを特徴とする
請求項４１に記載の送信ノード。
【請求項４３】
前記処理ユニットは、更に、
前記第１送信ノードの優先度が前記第２送信ノードより低い場合、前記端末装置のサポートする最大伝送層層数と前記第１送信ノードの参照信号に対応する報告情報内のランクインジケータの値との差を、前記端末装置へ前記ダウンリンク信号を送信する伝送層の層数として決定するように構成されることを特徴とする
請求項４１に記載の送信ノード。
【請求項４４】
前記処理ユニットは、更に、
前記第１メッセージに基づき、前記第２送信ノードと前記端末装置へ前記ダウンリンク信号を送信する伝送層の層数を協議するように構成されることを特徴とする
請求項４０に記載の送信ノード。
【発明の詳細な説明】
【技術分野】
【０００１】
本願は通信分野に関し、且つより具体的に、無線通信方法及び装置に関する。
【背景技術】
【０００２】
従来の新無線（ＮＲ：Ｎｅｗ  Ｒａｄｉｏ）システムにおいて、複数の送信ノードは端末装置へ物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）又は物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を共同で送信することができる。
【０００３】
従って、複数のダウンリンクチャネルの伝送をサポートするために、どのように参照信号の測定及びフィードバックを行うかは早急な解決の待たれる問題である。
【発明の概要】
【発明が解決しようとする課題】
【０００４】
本願の実施例は複数のダウンリンクチャネル伝送をサポートする参照信号の測定及びフィードバックを実現することのできる無線通信方法及び装置を提供する。
【課題を解決するための手段】
【０００５】
第１態様では、無線通信方法を提供し、
端末装置が複数の参照信号を測定することと、
前記端末装置が測定結果に基づき、前記複数の参照信号のうちの各参照信号に対応する、ランクインジケータを含む報告情報を決定することと、
前記端末装置が前記各参照信号に対応する、ランクインジケータを含む報告情報をネットワーク側に送信することと、を含む。
【０００６】
第１態様を参照して、第１態様の可能な実現方式では、前記複数の参照信号が、前記端末装置にサービスを共同で提供する複数の送信ノード又は複数のダウンリンク送信ビームからのものである。
【０００７】
第１態様又は上記いずれか１つの可能な実現方式を参照して、第１態様の他の可能な実現方式では、前記端末装置が前記各参照信号に対応する、ランクインジケータを含む報告情報をネットワーク側に送信することは、
前記端末装置が、前記参照信号自体に対応する、ランクインジケータを含む報告情報をそれぞれ前記参照信号の送信側に送信することを含む。
【０００８】
第１態様又は上記いずれか１つの可能な実現方式を参照して、第１態様の他の可能な実現方式では、前記各参照信号に対応する報告情報内のランクインジケータの値が、前記端末装置の能力に対応する値以下であり、及び／又は前記端末装置に構成された前記各参照信号のそれぞれに対応するポート数値以下である。
【０００９】
第１態様又は上記いずれか１つの可能な実現方式を参照して、第１態様の他の可能な実現方式では、前記複数の参照信号に対応する報告情報内のランクインジケータの値の和が、前記端末装置の能力に対応する値以下である。
【００１０】
第１態様又は上記いずれか１つの可能な実現方式を参照して、第１態様の他の可能な実現方式では、前記端末装置が前記各参照信号に対応する、ランクインジケータを含む報告情報をネットワーク側に送信することは、
第１メッセージを前記複数の参照信号のうちの少なくとも１つの第１参照信号の送信側に送信することであって、前記第１メッセージが、前記第１参照信号に対応する、ランクインジケータを含む報告情報を含むこと、を含み、
前記第１メッセージは、更に前記複数の参照信号のうちの少なくとも１つの第２参照信号に対応する報告情報に含まれるランクインジケータを含む。
【００１１】
第１態様又は上記いずれか１つの可能な実現方式を参照して、第１態様の他の可能な実現方式では、前記複数の参照信号に対応する報告情報内のランクインジケータの値の和が前記端末装置の能力に対応する値より大きい。
【００１２】
第１態様又は上記いずれか１つの可能な実現方式を参照して、第１態様の他の可能な実現方式では、前記各参照信号に対応する報告情報内のランクインジケータの値がそれぞれに対応する報告情報内のランクインジケータの最大値以下であり、又は、
前記複数の参照信号に対応する報告情報内のランクインジケータの値の和が前記複数の参照信号に対応する報告情報内のランクインジケータの値の和の最大値以下である。
【００１３】
第１態様又は上記いずれか１つの可能な実現方式を参照して、第１態様の他の可能な実現方式では、前記端末装置が測定結果に基づき、前記複数の参照信号のうちの各参照信号に対応する、ランクインジケータを含む報告情報を決定することは、
前記端末装置が自身の能力に基づき、前記各参照信号に対応する報告情報内のランクインジケータの最大値を決定することと、
前記各参照信号に対応する報告情報内のランクインジケータの最大値及び前記測定結果に基づき、前記各参照信号のそれぞれに対応する、ランクインジケータを含む報告情報を決定することと、を含む。
【００１４】
第１態様又は上記いずれか１つの可能な実現方式を参照して、第１態様の他の可能な実現方式では、前記各参照信号に対応する報告情報内のランクインジケータの最大値が、前記端末装置の能力に対応する値を前記複数の参照信号の数で割った値を切り下げた値に等しい。
【００１５】
第１態様又は上記いずれか１つの可能な実現方式を参照して、第１態様の他の可能な実現方式では、前記方法は、更に、
前記端末装置がネットワーク側からの第１構成情報を受信することを含み、前記第１構成情報は、
前記各参照信号に対応する報告情報内のランクインジケータの最大値、及び／又は、
前記複数の参照信号に対応する報告情報内のランクインジケータの値の和の最大値を示すことに用いられる。
【００１６】
第１態様又は上記いずれか１つの可能な実現方式を参照して、第１態様の他の可能な実現方式では、異なる参照信号の第１構成情報が、前記参照信号のインデックスで区別される。
【００１７】
第１態様又は上記いずれか１つの可能な実現方式を参照して、第１態様の他の可能な実現方式では、前記第１構成情報は前記参照信号の設定構成に含まれ、又は前記参照信号を測定するように前記端末装置をトリガーするトリガー信号に含まれ、又は前記第１構成情報専用のダウンリンク制御情報ＤＣＩに含まれる。
【００１８】
第１態様又は上記いずれか１つの可能な実現方式を参照して、第１態様の他の可能な実現方式では、異なる参照信号の第１構成情報が前記報告情報のインデックスで区別される。
【００１９】
第１態様又は上記いずれか１つの可能な実現方式を参照して、第１態様の他の可能な実現方式では、前記第１構成情報は前記報告情報の設定構成に含まれ、又は報告するように前記端末装置をトリガーするトリガー信号に含まれ、又は前記第１構成情報専用のＤＣＩに含まれる。
【００２０】
第１態様又は上記いずれか１つの可能な実現方式を参照して、第１態様の他の可能な実現方式では、前記方法は、更に、
前記端末装置がネットワーク側からの第２構成情報を受信することを含み、前記第２構成情報が、前記各参照信号に対して構成されたポート数を含み、前記複数の参照信号に対して構成されたポート数の和が前記端末装置の能力に対応する値以下である。
【００２１】
第１態様又は上記いずれか１つの可能な実現方式を参照して、第１態様の他の可能な実現方式では、前記方法は、更に、
前記端末装置が、測定すべき参照信号が前記複数の参照信号であることを示すためのネットワーク側からの第３構成情報を受信することを含む。
【００２２】
第２態様では、無線通信方法を提供し、
第１送信ノードが端末装置から送信された第１メッセージを受信することであって、前記第１メッセージが、前記第１送信ノードから送信された参照信号に対応する、ランクインジケータを含む報告情報と、第２送信ノードから送信された参照信号に対応する報告情報に含まれるランクインジケータとを含む、ことと、
前記第１メッセージに基づき、第１送信ノードが前記端末装置へダウンリンク信号を送信する伝送層の層数を決定することと、を含む。
【００２３】
第２態様を参照して、第２態様の可能な実現方式では、前記第１メッセージに基づき、第１送信ノードが前記端末装置へダウンリンク信号を送信する伝送層の層数を決定することは、
前記第１送信ノードと前記第２送信ノードの優先度順序及び前記第１メッセージに基づき、前記第１送信ノードが前記端末装置へ前記ダウンリンク信号を送信する伝送層の層数を決定することを含む。
【００２４】
第２態様又は上記いずれか１つの可能な実現方式を参照して、第２態様の他の可能な実現方式では、前記第１送信ノードと前記第２送信ノードの優先度順序及び前記第１メッセージに基づき、前記第１送信ノードが前記端末装置へ前記ダウンリンク信号を送信する伝送層の層数を決定することは、
前記第１送信ノードの優先度が前記第２送信ノードの優先度より高い場合、前記第１送信ノードの参照信号に対応する報告情報内のランクインジケータの値を、前記第１送信ノードが前記端末装置へ前記ダウンリンク信号を送信する伝送層の層数として決定することを含む。
【００２５】
第２態様又は上記いずれか１つの可能な実現方式を参照して、第２態様の他の可能な実現方式では、前記第１送信ノードと前記第２送信ノードの優先度順序及び前記第１メッセージに基づき、第１送信ノードが前記端末装置へ前記ダウンリンク信号を送信する伝送層の層数を決定することは、
前記第１送信ノードの優先度が前記第２送信ノードより低い場合、前記端末装置のサポートする最大伝送層層数と前記第１送信ノードの参照信号に対応する報告情報内のランクインジケータの値との差を、前記端末装置へ前記ダウンリンク信号を送信する伝送層の層数として決定することを含む。
【００２６】
第２態様又は上記いずれか１つの可能な実現方式を参照して、第２態様の他の可能な実現方式では、前記第１メッセージに基づき、第１送信ノードが前記端末装置へ前記ダウンリンク信号を送信する伝送層の層数を決定することは、
前記第１メッセージに基づき、前記第１送信ノードと前記第２送信ノードとが、前記端末装置へ前記ダウンリンク信号を送信する伝送層の層数を協議することを含む。
【００２７】
第３態様では、端末装置を提供し、上記第１態様又は第１態様のいずれか１つの可能な実現方式における方法を実行することに用いられる。具体的に、前記端末装置は上記第１態様又は第１態様のいずれか１つの可能な実現方式における方法を実行するように構成される機能モジュールを備える。
【００２８】
第４態様では、送信ノードを提供し、上記第２態様又は第２態様のいずれか１つの可能な実現方式における方法を実行することに用いられる。具体的に、前記送信ノードは上記第２態様又は第２態様のいずれか１つの可能な実現方式における方法を実行するように構成される機能モジュールを備える。
【００２９】
第５態様では、端末装置を提供し、プロセッサ、メモリ及び送受信機を備える。前記プロセッサ、前記メモリ及び前記送受信機が内部接続経路によって通信し、制御及び／又はデータ信号を伝達することにより、前記端末装置が上記第１態様又は第１態様のいずれか１つの可能な実現方式における方法を実行する。
【００３０】
第６態様では、送信ノードを提供し、プロセッサ、メモリ及び送受信機を備える。前記プロセッサ、前記メモリ及び前記送受信機が内部接続経路によって通信し、制御及び／又はデータ信号を伝達することにより、前記送信ノードが上記第２態様又は第２態様のいずれか１つの可能な実現方式における方法を実行する。
【００３１】
第７態様では、コンピュータ可読媒体を提供し、コンピュータプログラムを記憶することに用いられ、前記コンピュータプログラムは上記いずれか１つの方法又はいずれか１つの可能な実現方式における方法を実行するための命令を含む。
【００３２】
第８態様では、命令を含むコンピュータプログラム製品を提供し、コンピュータにおいて実行されるとき、コンピュータが上記いずれか１つの方法又はいずれか１つの可能な実現方式における方法を実行する。
【発明の効果】
【００３３】
従って、本願の実施例では、端末装置が複数の参照信号を測定し、前記端末装置が測定結果に基づき、前記複数の参照信号のうちの各参照信号に対応する、ランクインジケータを含む報告情報を決定し、前記端末装置が前記各参照信号に対応する、ランクインジケータを含む報告情報をネットワーク側に送信することにより、複数のダウンリンクチャネル伝送をサポートする参照信号の測定及びフィードバックを実現する。
【図面の簡単な説明】
【００３４】
【図１】図１は本願の実施例に係る無線通信システムの模式図である。
【図２】図２は本願の実施例に係る無線通信方法の模式的なフローチャートである。
【図３】図３は本願の実施例に係る無線通信方法の模式的なフローチャートである。
【図４】図４は本願の実施例に係る端末装置の模式的なブロック図である。
【図５】図５は本願の実施例に係る送信ノードの模式的なブロック図である。
【図６】図６は本願の実施例に係るシステムチップの模式的なブロック図である。
【図７】図７は本願の実施例に係る通信装置の模式的なブロック図である。
【発明を実施するための形態】
【００３５】
本願の実施例の技術案をより明確に説明するために、以下に実施例又は従来技術の記述において必要な図面を用いて簡単に説明を行うが、当然ながら、以下に記載する図面は単に本願の実施例の一例であって、当業者であれば、創造的な労力を要することなく、これらの図面に他の図面に想到しうる。
【００３６】
以下、本願の実施例の図面を参照しながら、本願の実施例の技術案を説明し、無論、説明される実施例は本願の実施例の一部であって、実施例のすべてではない。本願の実施例に基づき、当業者が進歩性のある労働を必要とせずに得られる他の実施例は、いずれも本願の保護範囲に属する。
【００３７】
好ましくは、本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム（新無線（ＮＲ：Ｎｅｗ  Ｒａｄｉｏ）システムと称されてもよい）等に適用されてもよい。
【００３８】
図１は本願の実施例に係る無線通信システムの模式図である。
【００３９】
図１に示すように、複数の送信ノード（例えば、送信ノード１及び送信ノード２）は端末装置へダウンリンクチャネル又は信号を共同で送信することができる。
【００４０】
又は、ネットワーク側は複数の送信ビーム（例えば、送信ビーム１及び送信ビーム２）を介して端末装置へダウンリンクチャネル又は信号を送信することができる。
【００４１】
該複数の送信ビームが同じ送信ノードからのものであってもよいし、異なる送信ノードからのものであってもよい。
【００４２】
好ましくは、図１における端末装置はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００４３】
好ましくは、図１に示される送信ノードは端末装置と通信する装置であってもよい。送信ノードは特定の地理的領域に通信カバレッジを提供することができ、且つ該カバレッジ領域内の端末装置（例えば、ＵＥ）と通信することができる。好ましくは、送信ノードはＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線制御装置であってもよく、又は、該送信ノードは中継所、アクセスポイント、車載装置、ウェアラブル端末、将来の５Ｇネットワークにおけるネットワーク側機器又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク機器等であってもよい。
【００４４】
好ましくは、送信ノードが送受信ポイント（ＴＲＰ：Ｔｒａｎｓｍｉｓｓｉｏｎ  Ｒｅｃｅｐｔｉｏｎ  Ｐｏｉｎｔ）と称されてもよい。
【００４５】
好ましくは、本願の実施例の複数の送信ノードが１つの制御装置により制御されてもよい。又は、本願の実施例の複数の送信ノードには１つのプライマリ送信ノードが存在し、他の送信ノードの制御を実現する。
【００４６】
好ましくは、５Ｇシステム又はネットワークが更に新無線（ＮＲ：Ｎｅｗ  Ｒａｄｉｏ）システム又はネットワークと称されてもよい。
【００４７】
本明細書において、本明細書における用語「システム」と「ネットワーク」は常に交換可能に使用されると理解すべきである。本明細書における用語「及び／又は」は関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００４８】
図２は本願の実施例に係る無線通信方法２００の模式的なフローチャートである。好ましくは、該方法１００は図１に示されるシステムに適用されてもよいが、これに限らない。図２に示すように、該方法１００は以下の少なくとも一部を含む。
【００４９】
１１０、端末装置が複数の参照信号を測定する。
【００５０】
好ましくは、該参照信号がチャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）であってもよい。
【００５１】
好ましくは、該複数の参照信号が該端末装置にサービスを共同で提供する複数の送信ノード又は複数のダウンリンク送信ビームからのものである。
【００５２】
好ましくは、複数の参照信号が複数の送信ノードに１対１に対応し、つまり、１つの送信ノードが１つの参照信号を送信する。１つの参照信号は構成された送信されたダウンリンク信号を指す。
【００５３】
好ましくは、該複数のダウンリンクビームが同じ送信ノードからのものであってもよく、又は異なるダウンリンクビームが異なる送信ノードからのものである。
【００５４】
好ましくは、複数のダウンリンク送信ビームが複数の参照信号に１対１に対応してもよく、つまり、１つのダウンリンク送信ビームを介して１つの参照信号を送信する。
【００５５】
１２０、該端末装置が測定結果に基づき、該複数の参照信号のうちの各参照信号に対応する、ランクインジケータを含む報告情報を決定する。
【００５６】
好ましくは、該ランクインジケータの値は端末装置が参照信号に対応する伝送チャネルにおいてサポートする最大伝送層数を示すことに用いられる。
【００５７】
１３０、該端末装置が該各参照信号に対応する、ランクインジケータを含む報告情報をネットワーク側に送信する。
【００５８】
好ましくは、端末装置による複数の測定信号の測定が同時に行われなくてもよい。又は、端末装置による参照信号に対する報告情報の報告が同時に行われなくてもよい。
【００５９】
好ましくは、本願の実施例のフィードバック情報はランクインジケータと、参照信号のインデックス又は報告情報を含むインデックス又は送信ノードのインデックスとを含んでもよい。
【００６０】
好ましくは、複数の参照信号がそれぞれ異なる送信ノードからのものである場合、端末装置が該送信ノードから送信された、参照信号に対応する報告情報を各送信ノードにそれぞれ送信してもよい。
【００６１】
好ましくは、複数の参照信号がそれぞれ異なる送信ビームからのものである場合、端末装置が該送信側自体から送信された、参照信号に対応する報告情報を送信ビームの送信側にそれぞれ送信してもよい。
【００６２】
好ましくは、該各参照信号に対応する報告情報内のランクインジケータの値が該端末装置の能力に対応する値以下であり、及び／又は該端末装置に構成された参照信号ポート数値以下である。
【００６３】
該端末装置の能力に対応する値が端末装置のサポートする最大伝送層数であってもよい場合、各参照信号に対応する報告情報内のランクインジケータの値が端末装置のサポートする最大伝送層数以下である。
【００６４】
該端末装置に構成された（出荷時に予め構成された又はネットワーク経由で予め構成された）参照信号ポート数値は端末装置の使用できるすべての参照信号のポート数の和であってもよい。
【００６５】
好ましくは、該複数の参照信号に対応する報告情報内のランクインジケータの値の和が該端末装置の能力に対応する値以下であり、及び／又は該端末装置に構成された参照信号ポート数値以下である。
【００６６】
具体的に、複数の参照信号に対応する報告情報内のランクインジケータの値が端末装置のサポートする最大伝送層層数以下であり、及び／又は該端末装置に構成された参照信号ポート数値以下である。
【００６７】
従って、該実現方式では、複数の送信ノードがいずれも端末装置にバックホールされている場合、複数の送信ノード間のバックホール（ｂａｃｋｈａｕｌ）が理想的ではなく、つまり、送信ノード同士が情報を迅速に交換できなければ、複数の送信ノードが端末装置に送信したデータフローの層数は端末装置の能力を超えることを回避することができ、それにより端末装置がデータの一部を復調又は廃棄できないため、システムリソースが浪費されることを回避する。
【００６８】
好ましくは、本願の実施例では、各参照信号に対して端末装置にもポート数が構成されてもよく、この時、各参照信号に対応する報告情報内のランクインジケータの値が該参照信号自体に対して構成されたポート数より小さい。
【００６９】
好ましくは、端末装置が第１メッセージを前記複数の参照信号のうちの少なくとも１つの第１参照信号の送信側に送信し、前記第１メッセージが、前記第１参照信号に対応する、ランクインジケータを含む報告情報を含み、前記第１メッセージは、更に前記複数の参照信号のうちの少なくとも１つの第２参照信号に対応する報告情報に含まれるランクインジケータを含む。更に、第２参照信号に対応する報告情報に含まれる他の情報を更に含んでもよい。
【００７０】
具体的には、該参照信号に対応する報告情報を少なくとも１つの参照信号の送信側に送信するとともに、更に他の１つ又は複数の参照信号（他の送信側から送信されたものであってもよい）に対応する報告情報を該参照信号の送信側に送信してもよい。
【００７１】
例えば、３つの参照信号、例えばそれぞれ送信ノード１、送信ノード２及び送信ノード３からの参照信号１、参照信号２及び参照信号３が存在すれば、送信ノード１へ参照信号１に対応する報告情報を送信し、送信ノード２へ参照信号２及び参照信号３に対応する報告情報を送信し、送信ノード３へ参照信号１、参照信号２及び参照信号３の報告情報を送信してもよい。
【００７２】
具体的に、ある参照信号の送信側へ他の参照信号に対応する報告情報を送信するかどうかは実際の状況によって決定されてもよく、例えば送信ノードの優先度によって決定されてもよく、例えば、優先度が高ければ高いほど、他の参照信号に対応する報告情報を送信する必要がなくなる。以上に挙げた例によれば、送信ノード１の優先度が送信ノード２より高く、送信ノード２の優先度が送信ノード３より高い。
【００７３】
少なくとも１つの参照信号の送信側へ該参照信号に対応する報告情報を送信するとともに、更に該参照信号の送信側へ他の１つ又は複数の参照信号（他の送信側から送信されたものであってもよい）に対応する報告情報を送信する場合、該複数の参照信号に対応する報告情報内のランクインジケータの値の和が該端末装置の能力に対応する値より大きい。
【００７４】
好ましくは、該各参照信号に対応する報告情報内のランクインジケータの値がそれぞれに対応する報告情報内のランクインジケータの最大値以下であり、又は、
該複数の参照信号に対応する報告情報内のランクインジケータの値の和が該複数の参照信号に対応する報告情報内のランクインジケータの値の和の最大値以下である。
【００７５】
好ましくは、該端末装置が自身の能力に基づき、該各参照信号に対応する報告情報内のランクインジケータの最大値を決定し、該各参照信号に対応する報告情報内のランクインジケータの最大値及び該測定結果に基づき、該各参照信号のそれぞれに対応する報告情報内のランクインジケータを決定する。
【００７６】
該各参照信号に対応する報告情報内のランクインジケータの最大値が該端末装置の能力に対応する値を該複数の参照信号の数で割った値を切り下げた値に等しくてもよい。
【００７７】
該複数の参照信号の数が同時に受信すべきＰＤＣＣＨの数に等しくてもよく、又は同時に受信すべきＰＤＳＣＨの数、又は、同時に受信すべきＰＤＣＣＨとＰＤＳＣＨとの数の和（ＰＤＣＣＨとＰＤＳＣＨとを同時に受信すべきである）に等しい。
【００７８】
好ましくは、該端末装置が該各参照信号に対応する報告情報内のランクインジケータの最大値、及び／又は、該複数の参照信号に対応する報告情報内のランクインジケータの値の和の最大値を示すためのネットワーク側からの第１構成情報を受信する。
【００７９】
理解都合上、以下にどのように異なる参照信号の構成情報を送信するかを説明する。
【００８０】
一実現方式では、異なる参照信号の第１構成情報が該参照信号のインデックスで区別される。
【００８１】
該実現方式では、該第１構成情報は該参照信号の設定構成に含まれてもよく、又は該参照信号を測定するように該端末装置をトリガーするトリガー信号に含まれ、又は該第１構成情報専用のダウンリンク制御情報（ＤＣＩ：Ｄｏｗｎｌｉｎｋ  Ｃｏｎｔｒｏｌ  Ｉｎｆｏｒｍａｔｉｏｎ）に含まれる。
【００８２】
参照信号の設定構成は参照信号をどのように受信するかを設定するためのＣＳＩ−ＲＳ  ｒｅｓｏｕｒｃｅ  ｓｅｔｔｉｎｇ  ｃｏｎｆｉｇｕｒａｔｉｏｎ又はＣＳＩ−ＲＳ  ｓｅｔｔｉｎｇ  ｃｏｎｆｉｇｕｒａｔｉｏｎであってもよい。
【００８３】
一実現方式では、異なる参照信号の第１構成情報が該報告情報のインデックスで区別される。
【００８４】
該実現方式では、該第１構成情報は該報告情報の設定構成に含まれ、又は報告するように該端末装置をトリガーするトリガー信号に含まれ、又は該第１構成情報専用のＤＣＩに含まれる。該報告情報の設定構成はｒｅｐｏｒｔｉｎｇ  ｓｅｔｔｉｎｇ  ｃｏｎｆｉｇｕｒａｔｉｏｎと称されてもよく、どのように報告情報の送信を行うかを設定することに用いられる。
【００８５】
以下、例を挙げて以上の第１構成情報を送信する搬送方式を説明する。
【００８６】
例えば、ＮＲシステムにおいて、ネットワーク側が２つの送信ノードを利用して端末装置へ異なるＮＲ−ＰＤＣＣＨ及び／又はＮＲ−ＰＤＳＣＨを送信してもよい。この伝送方式をサポートするために、ネットワーク側が異なる送信ノードを利用して異なるＣＳＩ−ＲＳ（それぞれＣＳＩ−ＲＳ  １、ＣＳＩ−ＲＳ  ２と記され、異なるＣＳＩ−ＲＳが異なるＣＳＩ−ＲＳ  ｒｅｓｏｕｒｃｅ  ｉｎｄｉｃａｔｏｒで区別される）を送信するとともに、端末装置がこの２つの信号を測定する（対応するＣＳＩ−ＲＳ  ｒｅｓｏｕｒｃｅ  ｓｅｔｔｉｎｇ  ｃｏｎｆｉｇｕｒａｔｉｏｎ及びｒｅｐｏｒｔｉｎｇ  ｓｅｔｔｉｎｇ  ｃｏｎｆｉｇｕｒａｔｉｏｎが存在する）ように設定してもよい。ＵＥにその復調能力を超えるｌａｙｅｒｓをスケジューリングすることを回避するために、ＮＷは以下の２つの方式の処理を行ってもよい。
【００８７】
一方式では、ネットワーク側がＣＳＩ−ＲＳ  １及びＣＳＩ−ＲＳ  ２に対してそれぞれ最大フィードバックＲＩ値（Ｎ１，Ｎ２）を構成し、例えば、ＣＳＩ−ＲＳ  ｓｅｔｔｉｎｇ  ｃｏｎｆｉｇｕｒａｔｉｏｎにおいて該最大フィードバック値ＲＩ値（Ｎ１，Ｎ２）を指定し、又は信号測定のためのトリガー信号において該最大フィードバック値ＲＩ値（Ｎ１，Ｎ２）を指定し、又は専用ＤＣＩにおいて該最大フィードバック値ＲＩ値（Ｎ１，Ｎ２）を指定する。
【００８８】
一方式では、ネットワーク側が２つのＣＳＩ−ＲＳに対応する２つの報告情報に対してそれぞれ最大フィードバックＲＩ値（Ｎ１，Ｎ２）を構成し、例えば、Ｒｅｐｏｒｔｉｎｇ  ｓｅｔｔｉｎｇ  ｃｏｎｆｉｇｕｒａｔｉｏｎにおいて該最大フィードバック値ＲＩ値（Ｎ１，Ｎ２）を指定し、又は報告情報のトリガー信号において該最大フィードバック値ＲＩ値（Ｎ１，Ｎ２）を指定し、又は専用ＤＣＩにおいて該最大フィードバック値ＲＩ値（Ｎ１，Ｎ２）を指定する。
【００８９】
更に、例えば、ＮＲシステムにおいて、ネットワーク側が２つの送信ノードを利用して端末装置へ異なるＮＲ−ＰＤＣＣＨ及び／又はＮＲ−ＰＤＳＣＨを送信してもよい。この伝送方式をサポートするために、ネットワーク側が異なる送信ノードを利用して異なるＣＳＩ−ＲＳ（それぞれＣＳＩ−ＲＳ  １、  ＣＳＩ−ＲＳ  ２と記され、異なるＣＳＩ−ＲＳが異なるＣＳＩ−ＲＳ  ｒｅｓｏｕｒｃｅ  ｉｎｄｉｃａｔｏｒで区別される）を送信するとともに、端末装置がこの２つの信号を測定する（対応するＣＳＩ−ＲＳ  ｒｅｓｏｕｒｃｅ  ｓｅｔｔｉｎｇ  ｃｏｎｆｉｇｕｒａｔｉｏｎ及びｒｅｐｏｒｔｉｎｇ  ｓｅｔｔｉｎｇ  ｃｏｎｆｉｇｕｒａｔｉｏｎが存在する）ように設定してもよい。ＵＥにその復調能力を超えるｌａｙｅｒｓをスケジューリングすることを回避するために、ＮＷは以下の２つの方式の処理を行ってもよい。
【００９０】
一方式では、ネットワーク側がＣＳＩ−ＲＳ  １及びＣＳＩ−ＲＳ  ２に対してそれぞれ２つの参照信号のフィードバックＲＩ値の和の最大値を設定し、例えば、ＣＳＩ−ＲＳ  ｓｅｔｔｉｎｇ  ｃｏｎｆｉｇｕｒａｔｉｏｎにおいて該フィードバックＲＩ値の和の最大値を指定し、又は信号測定のためのトリガー信号において該フィードバックＲＩ値の和の最大値を指定し、又は専用ＤＣＩにおいて該フィードバックＲＩ値の和の最大値を指定する。
【００９１】
一方式では、ネットワーク側が２つのＣＳＩ−ＲＳに対応する２つの報告情報に対してそれぞれ２つの参照信号のフィードバックＲＩ値の和の最大値を設定し、例えば、Ｒｅｐｏｒｔｉｎｇ  ｓｅｔｔｉｎｇ  ｃｏｎｆｉｇｕｒａｔｉｏｎにおいて該フィードバックＲＩ値の和の最大値を指定し、又は報告情報のトリガー信号において該フィードバックＲＩ値の和の最大値を指定し、又は専用ＤＣＩにおいて該フィードバックＲＩ値の和の最大値を指定する。
【００９２】
好ましくは、該端末装置がネットワーク側からの第２構成情報を受信し、該第２構成情報が該各参照信号に対して構成されたポート数を含み、該複数の参照信号に対して構成されたポート数の和が該端末装置の能力に対応する値以下である。
【００９３】
例えば、ネットワーク側が２つの送信ノードを利用して端末装置へ異なるＮＲ−ＰＤＣＣＨ及びＮＲ−ＰＤＳＣＨを送信してもよい。この伝送方式をサポートするために、ＮＷが異なる送信ノードにおいて異なるＣＳＩ−ＲＳ（対応するポート数がそれぞれＰ１、Ｐ２と記され、異なるＣＳＩ−ＲＳが異なるＣＳＩ−ＲＳ  ｒｅｓｏｕｒｃｅ  ｉｎｄｉｃａｔｏｒで区別される）を送信するとともに、端末装置がこの２つの信号を測定する（対応するＣＳＩ−ＲＳ  ｒｅｓｏｕｒｃｅ  ｓｅｔｔｉｎｇ  ｃｏｎｆｉｇｕｒａｔｉｏｎ及びｒｅｐｏｒｔｉｎｇ  ｓｅｔｔｉｎｇ  ｃｏｎｆｉｇｕｒａｔｉｏｎが存在する）ように設定する。ＵＥにその復調能力を超えるｌａｙｅｒｓをスケジューリングすることを回避するために、ネットワーク側は端末装置の測定して報告したＣＳＩのすべてのポート数の和Ｐ１＋Ｐ２がＵＥの最大能力以下であるように設定する。
【００９４】
好ましくは、該端末装置は測定すべき参照信号が該複数の参照信号であることを示すためのネットワーク側からの第３構成情報を受信する。
【００９５】
好ましくは、該第３構成情報に構成された測定すべき参照信号の数が同時に受信すべきＰＤＣＣＨの数に等しく、又は同時に受信すべきＰＤＳＣＨの数、又は、同時に受信すべきＰＤＣＣＨとＰＤＳＣＨとの数の和に等しい。
【００９６】
好ましくは、本願の実施例では、ネットワーク機器が更にランクインジケータの制約条件、例えば、ある参照信号のランクインジケータの最大値又は複数の参照信号のランクインジケータの和の最大値を設定する。
【００９７】
好ましくは、端末装置がネットワークに入った後、デフォルト状態が１つのＰＤＣＣＨ（又はＰＤＳＣＨ）を受信する状態であり、ネットワークの構成において、複数のＰＤＣＣＨ（又はＰＤＳＣＨ）を受信する状態に入ることを開始してもよい。
【００９８】
従って、本願の実施例では、端末装置が複数の参照信号を測定し、前記端末装置が測定結果に基づき、前記複数の参照信号のうちの各参照信号に対応する、ランクインジケータを含む報告情報を決定し、前記端末装置が前記各参照信号に対応する、ランクインジケータを含む報告情報をネットワーク側に送信することにより、複数のダウンリンクチャネル伝送をサポートする参照信号の測定及びフィードバックを実現する。
【００９９】
図３は本願の実施例に係る無線通信方法２００の模式的なフローチャートである。方法２００は以下の少なくとも一部を含む。
【０１００】
２１０、第１送信ノードが端末装置から送信された第１メッセージを受信し、該第１メッセージが、該第１送信ノードから送信された参照信号に対応する、ランクインジケータを含む報告情報と、第２送信ノードから送信された参照信号に対応する報告情報内のランクインジケータとを含む。
【０１０１】
２２０、該第１メッセージに基づき、第１送信ノードが該端末装置へダウンリンク信号を送信する伝送層の層数を決定する。
【０１０２】
一実現方式では、該第１送信ノードと該第２送信ノードの優先度順序及び該第１メッセージに基づき、該第１送信ノードが該端末装置へ該ダウンリンク信号を送信する伝送層の層数を決定する。
【０１０３】
好ましくは、該第１送信ノードの優先度が該第２送信ノードの優先度より高い場合、該第１送信ノードの参照信号に対応する報告情報内のランクインジケータの値を、該第１送信ノードが該端末装置へ該ダウンリンク信号を送信する伝送層の層数として決定する。
【０１０４】
好ましくは、該第１送信ノードの優先度が該第２送信ノードより低い場合、該端末装置のサポートする最大伝送層層数と該第１送信ノードの参照信号に対応する報告情報内のランクインジケータの値との差を、該端末装置へ該ダウンリンク信号を送信する伝送層の層数として決定する。
【０１０５】
例えば、ＮＲシステムにおいて、ネットワーク側が２つの送信ノードを利用して端末装置へ異なるＮＲ−ＰＤＣＣＨ及びＮＲ−ＰＤＳＣＨを送信してもよい。この伝送方式をサポートするために、ネットワーク側が異なる送信ノードにおいて異なるＣＳＩ−ＲＳ（それぞれＣＳＩ−ＲＳ  １、ＣＳＩ−ＲＳ  ２と記され、異なるＣＳＩ−ＲＳが異なるＣＳＩ−ＲＳリソースインデックス又は識別子（ｒｅｓｏｕｒｃｅ  ｉｎｄｉｃａｔｏｒ）で区別される）を送信するとともに、端末装置がこの２つの信号を測定する（対応するＣＳＩ−ＲＳ  ｒｅｓｏｕｒｃｅ  ｓｅｔｔｉｎｇ  ｃｏｎｆｉｇｕｒａｔｉｏｎ及びｒｅｐｏｒｔｉｎｇ  ｓｅｔｔｉｎｇ  ｃｏｎｆｉｇｕｒａｔｉｏｎが存在する）ように設定してもよい。端末装置にその復調能力を超える伝送層（ｌａｙｅｒｓ）数をスケジューリングすることを回避するために、端末装置は報告時に２つのＲＩを同じメッセージに含ませ、例えば、
送信ノード１に送信したメッセージ１にはＲＩ１及びＲＩ２が含まれ、送信ノード１に送信したメッセージ１にはＲＩ２が含まれ、又は、
送信ノード１に送信したメッセージ１にはＲＩ２が含まれ、送信ノード１に送信したメッセージ１にはＲＩ１及びＲＩ２が含まれ、又は、
送信ノード１に送信したメッセージ１にはＲＩ１及びＲＩ２が含まれ、送信ノード１に送信したメッセージ１にはＲＩ１及びＲＩ２が含まれる。
【０１０６】
ネットワーク側が事前決定方式で対応する操作を行ってもよく、例えばネットワーク側が送信ノード１の優先度を低く規定することができ、その場合、送信ノード１が受信されたＲＩ１及びＲＩ２に基づくとき、送信ノード２がＲＩ２に応じて端末装置へダウンリンク信号を送信すると仮定する場合、送信ノード１が端末装置の能力及びＲＩ２に基づいてその送信したデータのｌａｙｅｒ数（≦ＵＥ最大能力に対応するｌａｙｅｒ数Ｎ−ＲＩ）を決定する。
【０１０７】
一実現方式では、該第１メッセージに基づき、該第１送信ノードと該第２送信ノードとが、該端末装置へ該ダウンリンク信号を送信する伝送層の層数を協議する。
【０１０８】
従って、本願の実施例では、第１送信ノードがその送信した参照信号に対応するランクインジケータを含む報告情報及び他の送信ノードから送信された参照信号に対応するランクインジケータを含む報告情報に基づき、ダウンリンク信号の伝送層の層数を決定することにより、ネットワーク側が端末装置に多すぎる伝送層をスケジューリングして端末装置の能力を超えることを回避することができ、それにより端末装置がデータの一部を復調又は廃棄できないため、システムリソースが浪費されることを回避する。
【０１０９】
図４は本願の実施例に係る端末装置３００の模式的なブロック図である。図４に示すように、該端末装置３００は処理ユニット３１０及び通信ユニット３２０を備え、
前記処理ユニット３１０は複数の参照信号を測定し、測定結果に基づき、前記複数の参照信号のうちの各参照信号に対応する、ランクインジケータを含む報告情報を決定することに用いられ、
前記通信ユニット３２０は前記各参照信号に対応する、ランクインジケータを含む報告情報をネットワーク側に送信することに用いられる。
【０１１０】
好ましくは、前記複数の参照信号が、前記端末装置にサービスを共同で提供する複数の送信ノード又は複数のダウンリンク送信ビームからのものである。
【０１１１】
好ましくは、前記通信ユニット３２０は、更に、
前記参照信号自体に対応する、ランクインジケータを含む報告情報を前記参照信号の送信側にそれぞれ送信することに用いられる。
【０１１２】
好ましくは、前記各参照信号に対応する報告情報内のランクインジケータの値が、前記端末装置の能力に対応する値以下であり、及び／又は前記端末装置に構成された前記各参照信号のそれぞれに対応するポート数値以下である。
【０１１３】
好ましくは、前記複数の参照信号に対応する報告情報内のランクインジケータの値の和が、前記端末装置の能力に対応する値以下である。
【０１１４】
好ましくは、前記通信ユニット３２０は、更に、
第１メッセージを前記複数の参照信号のうちの少なくとも１つの第１参照信号の送信側に送信することに用いられ、前記第１メッセージが、前記第１参照信号に対応する、ランクインジケータを含む報告情報を含み、
前記第１メッセージは、更に前記複数の参照信号のうちの少なくとも１つの第２参照信号に対応する報告情報に含まれるランクインジケータを含む。
【０１１５】
好ましくは、前記複数の参照信号に対応する報告情報内のランクインジケータの値の和が前記端末装置の能力に対応する値より大きい。
【０１１６】
好ましくは、前記各参照信号に対応する報告情報内のランクインジケータの値がそれぞれに対応する報告情報内のランクインジケータの最大値以下であり、又は、
前記複数の参照信号に対応する報告情報内のランクインジケータの値の和が前記複数の参照信号に対応する報告情報内のランクインジケータの値の和の最大値以下である。
【０１１７】
好ましくは、前記処理ユニット３１０は、更に、
自身の能力に基づき、前記各参照信号に対応する報告情報内のランクインジケータの最大値を決定し、
前記各参照信号に対応する報告情報内のランクインジケータの最大値及び前記測定結果に基づき、前記各参照信号のそれぞれに対応する、ランクインジケータを含む報告情報を決定することに用いられる。
【０１１８】
好ましくは、前記各参照信号に対応する報告情報内のランクインジケータの最大値が、前記端末装置の能力に対応する値を前記複数の参照信号の数で割った値を切り下げた値に等しい。
【０１１９】
好ましくは、前記通信ユニット３２０は、更に、
前記端末装置がネットワーク側からの第１構成情報を受信することに用いられ、前記第１構成情報は、
前記各参照信号に対応する報告情報内のランクインジケータの最大値、及び／又は、
前記複数の参照信号に対応する報告情報内のランクインジケータの値の和の最大値を示すことに用いられる。
【０１２０】
好ましくは、異なる参照信号の第１構成情報が、前記参照信号のインデックスで区別される。
【０１２１】
好ましくは、前記第１構成情報は前記参照信号の設定構成に含まれ、又は前記参照信号を測定するように前記端末装置をトリガーするトリガー信号に含まれ、又は前記第１構成情報専用のダウンリンク制御情報ＤＣＩに含まれる。
【０１２２】
好ましくは、異なる参照信号の第１構成情報が前記報告情報のインデックスで区別される。
【０１２３】
好ましくは、前記第１構成情報は前記報告情報の設定構成に含まれ、又は報告するように前記端末装置をトリガーするトリガー信号に含まれ、又は前記第１構成情報専用のＤＣＩに含まれる。
【０１２４】
好ましくは、前記通信ユニット３２０は、更に、
ネットワーク側からの第２構成情報を受信することに用いられ、前記第２構成情報が、前記各参照信号に対して構成されたポート数を含み、前記複数の参照信号に対して構成されたポート数の和が前記端末装置の能力に対応する値以下である。
【０１２５】
好ましくは、前記通信ユニット３２０は、更に、
測定すべき参照信号が前記複数の参照信号であることを示すためのネットワーク側からの第３構成情報を受信することに用いられる。
【０１２６】
好ましくは、該端末装置３００は方法実施例における端末装置に対応してもよく、該端末装置の対応操作を実現することができ、簡潔のため、ここで詳細な説明は省略する。
【０１２７】
図５は本願の実施例に係る送信ノード４００の模式的なブロック図である。前記送信ノード４００は第１送信ノードであり、前記送信ノードは通信ユニット４１０及び処理ユニット４２０を備え、
前記通信ユニット４１０は端末装置から送信された第１メッセージを受信することに用いられ、前記第１メッセージが、前記第１送信ノードから送信された参照信号に対応する、ランクインジケータを含む報告情報と、第２送信ノードから送信された参照信号に対応する報告情報に含まれるランクインジケータとを含み、
前記処理ユニット４２０は前記第１メッセージに基づき、前記端末装置へダウンリンク信号を送信する伝送層の層数を決定することに用いられる。
【０１２８】
好ましくは、前記処理ユニット４２０は、更に、
前記第１送信ノードと前記第２送信ノードの優先度順序及び前記第１メッセージに基づき、前記端末装置へ前記ダウンリンク信号を送信する伝送層の層数を決定することに用いられる。
【０１２９】
好ましくは、前記処理ユニット４２０は、更に、
前記第１送信ノードの優先度が前記第２送信ノードの優先度より高い場合、前記第１送信ノードの参照信号に対応する報告情報内のランクインジケータの値を、前記第１送信ノードが前記端末装置へ前記ダウンリンク信号を送信する伝送層の層数として決定することに用いられる。
【０１３０】
好ましくは、前記処理ユニット４２０は、更に、
前記第１送信ノードの優先度が前記第２送信ノードより低い場合、前記端末装置のサポートする最大伝送層層数と前記第１送信ノードの参照信号に対応する報告情報内のランクインジケータの値との差を、前記端末装置へ前記ダウンリンク信号を送信する伝送層の層数として決定することに用いられる。
【０１３１】
好ましくは、前記処理ユニット４２０は、更に、
前記第１メッセージに基づき、前記第２送信ノードと前記端末装置へ前記ダウンリンク信号を送信する伝送層の層数を協議することに用いられる。
【０１３２】
好ましくは、該送信ノード４００は方法実施例における第１送信ノードに対応してもよく、該第１送信ノードの対応操作を実現することができ、簡潔のため、ここで詳細な説明は省略する。
【０１３３】
図６は本願の実施例のシステムチップ５００の構造模式図である。図６におけるシステムチップ５００は入力インターフェース５０１、出力インターフェース５０２、プロセッサ５０３及びメモリ５０４を備え、それらが内部通信接続経路によって接続されてもよく、前記プロセッサ５０３が前記メモリ８０４におけるコードを実行することに用いられる。
【０１３４】
好ましくは、前記コードが実行されるとき、前記プロセッサ５０３が方法実施例における送信ノードの実行する方法を実現する。簡潔のため、ここで詳細な説明は省略する。
【０１３５】
好ましくは、前記コードが実行されるとき、前記プロセッサ５０３が方法実施例における端末装置の実行する方法を実現する。簡潔のため、ここで詳細な説明は省略する。
【０１３６】
図７は本願の実施例に係る通信装置６００の模式的なブロック図である。図７に示すように、該通信装置６００はプロセッサ６１０及びメモリ６２０を備える。該メモリ６２０にプログラムコードが記憶されてもよく、該プロセッサ６１０が該メモリ６２０に記憶されるプログラムコードを実行することができる。
【０１３７】
好ましくは、図７に示すように、該通信装置６００は送受信機６３０を備えてもよく、プロセッサ６１０は送受信機６３０が外部と通信するように制御することができる。
【０１３８】
好ましくは、該プロセッサ６１０はメモリ６２０に記憶されるプログラムコードを呼び出して、方法実施例における送信ノードの対応操作を実行することができ、簡潔のため、ここで詳細な説明は省略する。
【０１３９】
好ましくは、該プロセッサ６１０はメモリ６２０に記憶されるプログラムコードを呼び出して、方法実施例における端末装置の対応操作を実行することができ、簡潔のため、ここで詳細な説明は省略する。
【０１４０】
本願の実施例のプロセッサは信号処理能力を有する集積回路チップであってもよいと理解すべきである。実現過程において、上記方法実施例の各ステップはプロセッサにおけるハードウェアの集積論理回路又はソフトウェア形式の命令で完了してもよい。上記プロセッサは汎用プロセッサ、デジタルシグナルプロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサは更にいかなる通常のプロセッサ等であってもよい。本願の実施例に開示される方法のステップはハードウェア復号プロセッサで実行して完了し、又は復号プロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリに位置し、プロセッサがメモリにおける情報を読み取り、そのハードウェアと組み合わせて上記方法のステップを完了する。
【０１４１】
本願の実施例におけるメモリは揮発性メモリ又は不揮発性メモリであってもよく、又は、揮発性メモリ及び不揮発性メモリを含んでもよいと理解される。不揮発性メモリは読み出し専用メモリ（ＲＯＭ：Ｒｅａｄ−Ｏｎｌｙ  Ｍｅｍｏｒｙ）、プログラム可能読み出し専用メモリ（ＰＲＯＭ：Ｐｒｏｇｒａｍｍａｂｌｅ  ＲＯＭ）、消去可能プログラム可能読み出し専用メモリ（ＥＰＲＯＭ：Ｅｒａｓａｂｌｅ  ＰＲＯＭ）、電気的消去可能プログラム可能読み出し専用メモリ（ＥＥＰＲＯＭ：Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ：Ｒａｎｄｏｍ  Ａｃｃｅｓｓ  Ｍｅｍｏｒｙ）であってもよい。制限的ではなく、例示的な説明によって、多くの形式のＲＡＭ、例えばスタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、シンクロナスダイナミックランダムアクセスメモリ（ＳＤＲＡＭ：Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ：Ｅｎｈａｎｃｅｄ  ＳＤＲＡＭ）、シンクリンクダイナミックランダムアクセスメモリ（ＳＬＤＲＡＭ：Ｓｙｎｃｈｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）が利用可能である。ただし、本明細書に説明されるシステム及び方法のメモリはこれらのメモリ及び任意の他の適切なタイプのメモリを含むが、それらに限らないように意図される。
【０１４２】
当業者であれば、本明細書に開示される実施例を参照して説明した各例示的なユニット及びアルゴリズムステップは、電子ハードウェア、又はコンピュータソフトウェア及び電子ハードウェアの組み合わせで実現されてもよいと理解される。これらの機能をハードウェア又はソフトウェア方式で実行するかは、技術案の特定応用及び設計制約条件によって決定される。当業者は各特定応用に対して異なる方法で説明される機能を実現することができるが、このような実現は本願の範囲を超えると見なされるべきではない。
【０１４３】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１４４】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１４５】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１４６】
また、本願の各実施例では、各機能ユニットは１つの処理ユニットに統合されてもよく、各ユニットは独立して物理的に存在してもよく、２つ又は２つ以上のユニットは１つのユニットに統合されてもよい。
【０１４７】
前記機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク機器等であってもよい）に本願の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１４８】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2020530216.tif 000003
【図２】
2020530216.tif 000004
【図３】
2020530216.tif 000005
【図４】
2020530216.tif 000006
【図５】
2020530216.tif 000007
【図６】
2020530216.tif 000008
【図７】
2020530216.tif 000009
【手続補正書】
【提出日】令和1年12月27日(2019.12.27)
【手続補正１】
【補正対象書類名】明細書
【補正対象項目名】全文
【補正方法】変更
【補正の内容】
【発明の詳細な説明】
【技術分野】
【０００１】
本願は通信分野に関し、且つより具体的に、無線通信方法及び装置に関する。
【背景技術】
【０００２】
従来の新無線（ＮＲ：Ｎｅｗ  Ｒａｄｉｏ）システムにおいて、複数の送信ノードは端末装置へ物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）又は物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を共同で送信することができる。
【０００３】
従って、複数のダウンリンクチャネルの伝送をサポートするために、どのように参照信号の測定及びフィードバックを行うかは早急な解決の待たれる問題である。
【発明の概要】
【発明が解決しようとする課題】
【０００４】
本願の実施例は複数のダウンリンクチャネル伝送をサポートする参照信号の測定及びフィードバックを実現することのできる無線通信方法及び装置を提供する。
【課題を解決するための手段】
【０００５】
第１態様では、無線通信方法を提供し、
端末装置が複数の参照信号を測定することと、
前記端末装置が測定結果に基づき、前記複数の参照信号のうちの各参照信号に対応する、ランクインジケータを含む報告情報を決定することと、
前記端末装置が前記各参照信号に対応する、ランクインジケータを含む報告情報をネットワーク側に送信することと、を含む。
【０００６】
第１態様を参照して、第１態様の可能な実現方式では、前記複数の参照信号が、前記端末装置にサービスを共同で提供する複数の送信ノード又は複数のダウンリンク送信ビームからのものである。
【０００７】
第１態様又は上記いずれか１つの可能な実現方式を参照して、第１態様の他の可能な実現方式では、前記端末装置が前記各参照信号に対応する、ランクインジケータを含む報告情報をネットワーク側に送信することは、
前記端末装置が、前記参照信号自体に対応する、ランクインジケータを含む報告情報をそれぞれ前記参照信号の送信側に送信することを含む。
【０００８】
第１態様又は上記いずれか１つの可能な実現方式を参照して、第１態様の他の可能な実現方式では、前記各参照信号に対応する報告情報内のランクインジケータの値が、前記端末装置の能力に対応する値以下であり、及び／又は前記端末装置に構成された前記各参照信号のそれぞれに対応するポート数値以下である。
【０００９】
第１態様又は上記いずれか１つの可能な実現方式を参照して、第１態様の他の可能な実現方式では、前記複数の参照信号に対応する報告情報内のランクインジケータの値の和が、前記端末装置の能力に対応する値以下である。
【００１０】
第１態様又は上記いずれか１つの可能な実現方式を参照して、第１態様の他の可能な実現方式では、前記端末装置が前記各参照信号に対応する、ランクインジケータを含む報告情報をネットワーク側に送信することは、
第１メッセージを前記複数の参照信号のうちの少なくとも１つの第１参照信号の送信側に送信することであって、前記第１メッセージが、前記第１参照信号に対応する、ランクインジケータを含む報告情報を含むこと、を含み、
前記第１メッセージは、更に前記複数の参照信号のうちの少なくとも１つの第２参照信号に対応する報告情報に含まれるランクインジケータを含む。
【００１１】
第１態様又は上記いずれか１つの可能な実現方式を参照して、第１態様の他の可能な実現方式では、前記複数の参照信号に対応する報告情報内のランクインジケータの値の和が前記端末装置の能力に対応する値より大きい。
【００１２】
第１態様又は上記いずれか１つの可能な実現方式を参照して、第１態様の他の可能な実現方式では、前記各参照信号に対応する報告情報内のランクインジケータの値がそれぞれに対応する報告情報内のランクインジケータの最大値以下であり、又は、
前記複数の参照信号に対応する報告情報内のランクインジケータの値の和が前記複数の参照信号に対応する報告情報内のランクインジケータの値の和の最大値以下である。
【００１３】
第１態様又は上記いずれか１つの可能な実現方式を参照して、第１態様の他の可能な実現方式では、前記端末装置が測定結果に基づき、前記複数の参照信号のうちの各参照信号に対応する、ランクインジケータを含む報告情報を決定することは、
前記端末装置が自身の能力に基づき、前記各参照信号に対応する報告情報内のランクインジケータの最大値を決定することと、
前記各参照信号に対応する報告情報内のランクインジケータの最大値及び前記測定結果に基づき、前記各参照信号のそれぞれに対応する、ランクインジケータを含む報告情報を決定することと、を含む。
【００１４】
第１態様又は上記いずれか１つの可能な実現方式を参照して、第１態様の他の可能な実現方式では、前記各参照信号に対応する報告情報内のランクインジケータの最大値が、前記端末装置の能力に対応する値を前記複数の参照信号の数で割った値を切り下げた値に等しい。
【００１５】
第１態様又は上記いずれか１つの可能な実現方式を参照して、第１態様の他の可能な実現方式では、前記方法は、更に、
前記端末装置がネットワーク側からの第１構成情報を受信することを含み、前記第１構成情報は、
前記各参照信号に対応する報告情報内のランクインジケータの最大値、及び／又は、
前記複数の参照信号に対応する報告情報内のランクインジケータの値の和の最大値を示すことに用いられる。
【００１６】
第１態様又は上記いずれか１つの可能な実現方式を参照して、第１態様の他の可能な実現方式では、異なる参照信号の第１構成情報が、前記参照信号のインデックスで区別される。
【００１７】
第１態様又は上記いずれか１つの可能な実現方式を参照して、第１態様の他の可能な実現方式では、前記第１構成情報は前記参照信号の設定構成に含まれ、又は前記参照信号を測定するように前記端末装置をトリガーするトリガー信号に含まれ、又は前記第１構成情報専用のダウンリンク制御情報ＤＣＩに含まれる。
【００１８】
第１態様又は上記いずれか１つの可能な実現方式を参照して、第１態様の他の可能な実現方式では、異なる参照信号の第１構成情報が前記報告情報のインデックスで区別される。
【００１９】
第１態様又は上記いずれか１つの可能な実現方式を参照して、第１態様の他の可能な実現方式では、前記第１構成情報は前記報告情報の設定構成に含まれ、又は報告するように前記端末装置をトリガーするトリガー信号に含まれ、又は前記第１構成情報専用のＤＣＩに含まれる。
【００２０】
第１態様又は上記いずれか１つの可能な実現方式を参照して、第１態様の他の可能な実現方式では、前記方法は、更に、
前記端末装置がネットワーク側からの第２構成情報を受信することを含み、前記第２構成情報が、前記各参照信号に対して構成されたポート数を含み、前記複数の参照信号に対して構成されたポート数の和が前記端末装置の能力に対応する値以下である。
【００２１】
第１態様又は上記いずれか１つの可能な実現方式を参照して、第１態様の他の可能な実現方式では、前記方法は、更に、
前記端末装置が、測定すべき参照信号が前記複数の参照信号であることを示すためのネットワーク側からの第３構成情報を受信することを含む。
【００２２】
第２態様では、無線通信方法を提供し、
第１送信ノードが端末装置から送信された第１メッセージを受信することであって、前記第１メッセージが、前記第１送信ノードから送信された参照信号に対応する、ランクインジケータを含む報告情報と、第２送信ノードから送信された参照信号に対応する報告情報に含まれるランクインジケータとを含む、ことと、
前記第１メッセージに基づき、第１送信ノードが前記端末装置へダウンリンク信号を送信する伝送層の層数を決定することと、を含む。
【００２３】
第２態様を参照して、第２態様の可能な実現方式では、前記第１メッセージに基づき、第１送信ノードが前記端末装置へダウンリンク信号を送信する伝送層の層数を決定することは、
前記第１送信ノードと前記第２送信ノードの優先度順序及び前記第１メッセージに基づき、前記第１送信ノードが前記端末装置へ前記ダウンリンク信号を送信する伝送層の層数を決定することを含む。
【００２４】
第２態様又は上記いずれか１つの可能な実現方式を参照して、第２態様の他の可能な実現方式では、前記第１送信ノードと前記第２送信ノードの優先度順序及び前記第１メッセージに基づき、前記第１送信ノードが前記端末装置へ前記ダウンリンク信号を送信する伝送層の層数を決定することは、
前記第１送信ノードの優先度が前記第２送信ノードの優先度より高い場合、前記第１送信ノードの参照信号に対応する報告情報内のランクインジケータの値を、前記第１送信ノードが前記端末装置へ前記ダウンリンク信号を送信する伝送層の層数として決定することを含む。
【００２５】
第２態様又は上記いずれか１つの可能な実現方式を参照して、第２態様の他の可能な実現方式では、前記第１送信ノードと前記第２送信ノードの優先度順序及び前記第１メッセージに基づき、第１送信ノードが前記端末装置へ前記ダウンリンク信号を送信する伝送層の層数を決定することは、
前記第１送信ノードの優先度が前記第２送信ノードより低い場合、前記端末装置のサポートする最大伝送層層数と前記第１送信ノードの参照信号に対応する報告情報内のランクインジケータの値との差を、前記端末装置へ前記ダウンリンク信号を送信する伝送層の層数として決定することを含む。
【００２６】
第２態様又は上記いずれか１つの可能な実現方式を参照して、第２態様の他の可能な実現方式では、前記第１メッセージに基づき、第１送信ノードが前記端末装置へ前記ダウンリンク信号を送信する伝送層の層数を決定することは、
前記第１メッセージに基づき、前記第１送信ノードと前記第２送信ノードとが、前記端末装置へ前記ダウンリンク信号を送信する伝送層の層数を協議することを含む。
【００２７】
第３態様では、端末装置を提供し、上記第１態様又は第１態様のいずれか１つの可能な実現方式における方法を実行することに用いられる。具体的に、前記端末装置は上記第１態様又は第１態様のいずれか１つの可能な実現方式における方法を実行するように構成される機能モジュールを備える。
【００２８】
第４態様では、送信ノードを提供し、上記第２態様又は第２態様のいずれか１つの可能な実現方式における方法を実行することに用いられる。具体的に、前記送信ノードは上記第２態様又は第２態様のいずれか１つの可能な実現方式における方法を実行するように構成される機能モジュールを備える。
【００２９】
第５態様では、端末装置を提供し、プロセッサ、メモリ及び送受信機を備える。前記プロセッサ、前記メモリ及び前記送受信機が内部接続経路によって通信し、制御及び／又はデータ信号を伝達することにより、前記端末装置が上記第１態様又は第１態様のいずれか１つの可能な実現方式における方法を実行する。
【００３０】
第６態様では、送信ノードを提供し、プロセッサ、メモリ及び送受信機を備える。前記プロセッサ、前記メモリ及び前記送受信機が内部接続経路によって通信し、制御及び／又はデータ信号を伝達することにより、前記送信ノードが上記第２態様又は第２態様のいずれか１つの可能な実現方式における方法を実行する。
【００３１】
第７態様では、コンピュータ可読媒体を提供し、コンピュータプログラムを記憶することに用いられ、前記コンピュータプログラムは上記いずれか１つの方法又はいずれか１つの可能な実現方式における方法を実行するための命令を含む。
【００３２】
第８態様では、命令を含むコンピュータプログラム製品を提供し、コンピュータにおいて実行されるとき、コンピュータが上記いずれか１つの方法又はいずれか１つの可能な実現方式における方法を実行する。
【発明の効果】
【００３３】
従って、本願の実施例では、端末装置が複数の参照信号を測定し、前記端末装置が測定結果に基づき、前記複数の参照信号のうちの各参照信号に対応する、ランクインジケータを含む報告情報を決定し、前記端末装置が前記各参照信号に対応する、ランクインジケータを含む報告情報をネットワーク側に送信することにより、複数のダウンリンクチャネル伝送をサポートする参照信号の測定及びフィードバックを実現する。
【図面の簡単な説明】
【００３４】
【図１】図１は本願の実施例に係る無線通信システムの模式図である。
【図２】図２は本願の実施例に係る無線通信方法の模式的なフローチャートである。
【図３】図３は本願の実施例に係る無線通信方法の模式的なフローチャートである。
【図４】図４は本願の実施例に係る端末装置の模式的なブロック図である。
【図５】図５は本願の実施例に係る送信ノードの模式的なブロック図である。
【図６】図６は本願の実施例に係るシステムチップの模式的なブロック図である。
【図７】図７は本願の実施例に係る通信装置の模式的なブロック図である。
【発明を実施するための形態】
【００３５】
本願の実施例の技術案をより明確に説明するために、以下に実施例又は従来技術の記述において必要な図面を用いて簡単に説明を行うが、当然ながら、以下に記載する図面は単に本願の実施例の一例であって、当業者であれば、創造的な労力を要することなく、これらの図面に他の図面に想到しうる。
【００３６】
以下、本願の実施例の図面を参照しながら、本願の実施例の技術案を説明し、無論、説明される実施例は本願の実施例の一部であって、実施例のすべてではない。本願の実施例に基づき、当業者が進歩性のある労働を必要とせずに得られる他の実施例は、いずれも本願の保護範囲に属する。
【００３７】
好ましくは、本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム（新無線（ＮＲ：Ｎｅｗ  Ｒａｄｉｏ）システムと称されてもよい）等に適用されてもよい。
【００３８】
図１は本願の実施例に係る無線通信システムの模式図である。
【００３９】
図１に示すように、複数の送信ノード（例えば、送信ノード１及び送信ノード２）は端末装置へダウンリンクチャネル又は信号を共同で送信することができる。
【００４０】
又は、ネットワーク側は複数の送信ビーム（例えば、送信ビーム１及び送信ビーム２）を介して端末装置へダウンリンクチャネル又は信号を送信することができる。
【００４１】
該複数の送信ビームが同じ送信ノードからのものであってもよいし、異なる送信ノードからのものであってもよい。
【００４２】
好ましくは、図１における端末装置はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００４３】
好ましくは、図１に示される送信ノードは端末装置と通信する装置であってもよい。送信ノードは特定の地理的領域に通信カバレッジを提供することができ、且つ該カバレッジ領域内の端末装置（例えば、ＵＥ）と通信することができる。好ましくは、送信ノードはＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線制御装置であってもよく、又は、該送信ノードは中継所、アクセスポイント、車載装置、ウェアラブル端末、将来の５Ｇネットワークにおけるネットワーク側機器又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク機器等であってもよい。
【００４４】
好ましくは、送信ノードが送受信ポイント（ＴＲＰ：Ｔｒａｎｓｍｉｓｓｉｏｎ  Ｒｅｃｅｐｔｉｏｎ  Ｐｏｉｎｔ）と称されてもよい。
【００４５】
好ましくは、本願の実施例の複数の送信ノードが１つの制御装置により制御されてもよい。又は、本願の実施例の複数の送信ノードには１つのプライマリ送信ノードが存在し、他の送信ノードの制御を実現する。
【００４６】
好ましくは、５Ｇシステム又はネットワークが更に新無線（ＮＲ：Ｎｅｗ  Ｒａｄｉｏ）システム又はネットワークと称されてもよい。
【００４７】
本明細書において、本明細書における用語「システム」と「ネットワーク」は常に交換可能に使用されると理解すべきである。本明細書における用語「及び／又は」は関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。本開示と特許請求の範囲とに記載される単数形の「一つ」及び「前記」は、本開示において他の意味が明示されない限り、複数形も含む。
図２は本願の実施例に係る無線通信方法２００の模式的なフローチャートである。好ましくは、該方法１００は図１に示されるシステムに適用されてもよいが、これに限らない。図２に示すように、該方法１００は以下の少なくとも一部を含む。
【００４８】
１１０、端末装置が複数の参照信号を測定する。
【００４９】
好ましくは、該参照信号がチャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）であってもよい。
【００５０】
好ましくは、該複数の参照信号が該端末装置にサービスを共同で提供する複数の送信ノード又は複数のダウンリンク送信ビームからのものである。
【００５１】
好ましくは、複数の参照信号が複数の送信ノードに１対１に対応し、つまり、１つの送信ノードが１つの参照信号を送信する。１つの参照信号は構成された送信されたダウンリンク信号を指す。
【００５２】
好ましくは、該複数のダウンリンクビームが同じ送信ノードからのものであってもよく、又は異なるダウンリンクビームが異なる送信ノードからのものである。
【００５３】
好ましくは、複数のダウンリンク送信ビームが複数の参照信号に１対１に対応してもよく、つまり、１つのダウンリンク送信ビームを介して１つの参照信号を送信する。
【００５４】
１２０、該端末装置が測定結果に基づき、該複数の参照信号のうちの各参照信号に対応する、ランクインジケータを含む報告情報を決定する。
【００５５】
好ましくは、該ランクインジケータの値は端末装置が参照信号に対応する伝送チャネルにおいてサポートする最大伝送層数を示すことに用いられる。
【００５６】
１３０、該端末装置が該各参照信号に対応する、ランクインジケータを含む報告情報をネットワーク側に送信する。
【００５７】
好ましくは、端末装置による複数の測定信号の測定が同時に行われなくてもよい。又は、端末装置による参照信号に対する報告情報の報告が同時に行われなくてもよい。
【００５８】
好ましくは、本願の実施例のフィードバック情報はランクインジケータと、参照信号のインデックス又は報告情報を含むインデックス又は送信ノードのインデックスとを含んでもよい。
【００５９】
好ましくは、複数の参照信号がそれぞれ異なる送信ノードからのものである場合、端末装置が該送信ノードから送信された、参照信号に対応する報告情報を各送信ノードにそれぞれ送信してもよい。
【００６０】
好ましくは、複数の参照信号がそれぞれ異なる送信ビームからのものである場合、端末装置が該送信側自体から送信された、参照信号に対応する報告情報を送信ビームの送信側にそれぞれ送信してもよい。
【００６１】
好ましくは、該各参照信号に対応する報告情報内のランクインジケータの値が該端末装置の能力に対応する値以下であり、及び／又は該端末装置に構成された参照信号ポート数値以下である。
【００６２】
該端末装置の能力に対応する値が端末装置のサポートする最大伝送層数であってもよい場合、各参照信号に対応する報告情報内のランクインジケータの値が端末装置のサポートする最大伝送層数以下である。
【００６３】
該端末装置に構成された（出荷時に予め構成された又はネットワーク経由で予め構成された）参照信号ポート数値は端末装置の使用できるすべての参照信号のポート数の和であってもよい。
【００６４】
好ましくは、該複数の参照信号に対応する報告情報内のランクインジケータの値の和が該端末装置の能力に対応する値以下であり、及び／又は該端末装置に構成された参照信号ポート数値以下である。
【００６５】
具体的に、複数の参照信号に対応する報告情報内のランクインジケータの値が端末装置のサポートする最大伝送層層数以下であり、及び／又は該端末装置に構成された参照信号ポート数値以下である。
【００６６】
従って、該実現方式では、複数の送信ノードがいずれも端末装置にバックホールされている場合、複数の送信ノード間のバックホール（ｂａｃｋｈａｕｌ）が理想的ではなく、つまり、送信ノード同士が情報を迅速に交換できなければ、複数の送信ノードが端末装置に送信したデータフローの層数は端末装置の能力を超えることを回避することができ、それにより端末装置がデータの一部を復調又は廃棄できないため、システムリソースが浪費されることを回避する。
【００６７】
好ましくは、本願の実施例では、各参照信号に対して端末装置にもポート数が構成されてもよく、この時、各参照信号に対応する報告情報内のランクインジケータの値が該参照信号自体に対して構成されたポート数より小さい。
【００６８】
好ましくは、端末装置が第１メッセージを前記複数の参照信号のうちの少なくとも１つの第１参照信号の送信側に送信し、前記第１メッセージが、前記第１参照信号に対応する、ランクインジケータを含む報告情報を含み、前記第１メッセージは、更に前記複数の参照信号のうちの少なくとも１つの第２参照信号に対応する報告情報に含まれるランクインジケータを含む。更に、第２参照信号に対応する報告情報に含まれる他の情報を更に含んでもよい。
【００６９】
具体的には、該参照信号に対応する報告情報を少なくとも１つの参照信号の送信側に送信するとともに、更に他の１つ又は複数の参照信号（他の送信側から送信されたものであってもよい）に対応する報告情報を該参照信号の送信側に送信してもよい。
【００７０】
例えば、３つの参照信号、例えばそれぞれ送信ノード１、送信ノード２及び送信ノード３からの参照信号１、参照信号２及び参照信号３が存在すれば、送信ノード１へ参照信号１に対応する報告情報を送信し、送信ノード２へ参照信号２及び参照信号３に対応する報告情報を送信し、送信ノード３へ参照信号１、参照信号２及び参照信号３の報告情報を送信してもよい。
【００７１】
具体的に、ある参照信号の送信側へ他の参照信号に対応する報告情報を送信するかどうかは実際の状況によって決定されてもよく、例えば送信ノードの優先度によって決定されてもよく、例えば、優先度が高ければ高いほど、他の参照信号に対応する報告情報を送信する必要がなくなる。以上に挙げた例によれば、送信ノード１の優先度が送信ノード２より高く、送信ノード２の優先度が送信ノード３より高い。
【００７２】
少なくとも１つの参照信号の送信側へ該参照信号に対応する報告情報を送信するとともに、更に該参照信号の送信側へ他の１つ又は複数の参照信号（他の送信側から送信されたものであってもよい）に対応する報告情報を送信する場合、該複数の参照信号に対応する報告情報内のランクインジケータの値の和が該端末装置の能力に対応する値より大きい。
【００７３】
好ましくは、該各参照信号に対応する報告情報内のランクインジケータの値がそれぞれに対応する報告情報内のランクインジケータの最大値以下であり、又は、
該複数の参照信号に対応する報告情報内のランクインジケータの値の和が該複数の参照信号に対応する報告情報内のランクインジケータの値の和の最大値以下である。
【００７４】
好ましくは、該端末装置が自身の能力に基づき、該各参照信号に対応する報告情報内のランクインジケータの最大値を決定し、該各参照信号に対応する報告情報内のランクインジケータの最大値及び該測定結果に基づき、該各参照信号のそれぞれに対応する報告情報内のランクインジケータを決定する。
【００７５】
該各参照信号に対応する報告情報内のランクインジケータの最大値が該端末装置の能力に対応する値を該複数の参照信号の数で割った値を切り下げた値に等しくてもよい。
【００７６】
該複数の参照信号の数が同時に受信すべきＰＤＣＣＨの数に等しくてもよく、又は同時に受信すべきＰＤＳＣＨの数、又は、同時に受信すべきＰＤＣＣＨとＰＤＳＣＨとの数の和（ＰＤＣＣＨとＰＤＳＣＨとを同時に受信すべきである）に等しい。
【００７７】
好ましくは、該端末装置が該各参照信号に対応する報告情報内のランクインジケータの最大値、及び／又は、該複数の参照信号に対応する報告情報内のランクインジケータの値の和の最大値を示すためのネットワーク側からの第１構成情報を受信する。
【００７８】
理解都合上、以下にどのように異なる参照信号の構成情報を送信するかを説明する。
【００７９】
一実現方式では、異なる参照信号の第１構成情報が該参照信号のインデックスで区別される。
【００８０】
該実現方式では、該第１構成情報は該参照信号の設定構成に含まれてもよく、又は該参照信号を測定するように該端末装置をトリガーするトリガー信号に含まれ、又は該第１構成情報専用のダウンリンク制御情報（ＤＣＩ：Ｄｏｗｎｌｉｎｋ  Ｃｏｎｔｒｏｌ  Ｉｎｆｏｒｍａｔｉｏｎ）に含まれる。
【００８１】
参照信号の設定構成は参照信号をどのように受信するかを設定するためのＣＳＩ−ＲＳ  ｒｅｓｏｕｒｃｅ  ｓｅｔｔｉｎｇ  ｃｏｎｆｉｇｕｒａｔｉｏｎ又はＣＳＩ−ＲＳ  ｓｅｔｔｉｎｇ  ｃｏｎｆｉｇｕｒａｔｉｏｎであってもよい。
【００８２】
一実現方式では、異なる参照信号の第１構成情報が該報告情報のインデックスで区別される。
【００８３】
該実現方式では、該第１構成情報は該報告情報の設定構成に含まれ、又は報告するように該端末装置をトリガーするトリガー信号に含まれ、又は該第１構成情報専用のＤＣＩに含まれる。該報告情報の設定構成はｒｅｐｏｒｔｉｎｇ  ｓｅｔｔｉｎｇ  ｃｏｎｆｉｇｕｒａｔｉｏｎと称されてもよく、どのように報告情報の送信を行うかを設定することに用いられる。
【００８４】
以下、例を挙げて以上の第１構成情報を送信する搬送方式を説明する。
【００８５】
例えば、ＮＲシステムにおいて、ネットワーク側が２つの送信ノードを利用して端末装置へ異なるＮＲ−ＰＤＣＣＨ及び／又はＮＲ−ＰＤＳＣＨを送信してもよい。この伝送方式をサポートするために、ネットワーク側が異なる送信ノードを利用して異なるＣＳＩ−ＲＳ（それぞれＣＳＩ−ＲＳ  １、ＣＳＩ−ＲＳ  ２と記され、異なるＣＳＩ−ＲＳが異なるＣＳＩ−ＲＳ  ｒｅｓｏｕｒｃｅ  ｉｎｄｉｃａｔｏｒで区別される）を送信するとともに、端末装置がこの２つの信号を測定する（対応するＣＳＩ−ＲＳ  ｒｅｓｏｕｒｃｅ  ｓｅｔｔｉｎｇ  ｃｏｎｆｉｇｕｒａｔｉｏｎ及びｒｅｐｏｒｔｉｎｇ  ｓｅｔｔｉｎｇ  ｃｏｎｆｉｇｕｒａｔｉｏｎが存在する）ように設定してもよい。ＵＥにその復調能力を超えるｌａｙｅｒｓをスケジューリングすることを回避するために、ＮＷは以下の２つの方式の処理を行ってもよい。
【００８６】
一方式では、ネットワーク側がＣＳＩ−ＲＳ  １及びＣＳＩ−ＲＳ  ２に対してそれぞれ最大フィードバックＲＩ値（Ｎ１，Ｎ２）を構成し、例えば、ＣＳＩ−ＲＳ  ｓｅｔｔｉｎｇ  ｃｏｎｆｉｇｕｒａｔｉｏｎにおいて該最大フィードバック値ＲＩ値（Ｎ１，Ｎ２）を指定し、又は信号測定のためのトリガー信号において該最大フィードバック値ＲＩ値（Ｎ１，Ｎ２）を指定し、又は専用ＤＣＩにおいて該最大フィードバック値ＲＩ値（Ｎ１，Ｎ２）を指定する。
【００８７】
一方式では、ネットワーク側が２つのＣＳＩ−ＲＳに対応する２つの報告情報に対してそれぞれ最大フィードバックＲＩ値（Ｎ１，Ｎ２）を構成し、例えば、Ｒｅｐｏｒｔｉｎｇ  ｓｅｔｔｉｎｇ  ｃｏｎｆｉｇｕｒａｔｉｏｎにおいて該最大フィードバック値ＲＩ値（Ｎ１，Ｎ２）を指定し、又は報告情報のトリガー信号において該最大フィードバック値ＲＩ値（Ｎ１，Ｎ２）を指定し、又は専用ＤＣＩにおいて該最大フィードバック値ＲＩ値（Ｎ１，Ｎ２）を指定する。
【００８８】
更に、例えば、ＮＲシステムにおいて、ネットワーク側が２つの送信ノードを利用して端末装置へ異なるＮＲ−ＰＤＣＣＨ及び／又はＮＲ−ＰＤＳＣＨを送信してもよい。この伝送方式をサポートするために、ネットワーク側が異なる送信ノードを利用して異なるＣＳＩ−ＲＳ（それぞれＣＳＩ−ＲＳ  １、  ＣＳＩ−ＲＳ  ２と記され、異なるＣＳＩ−ＲＳが異なるＣＳＩ−ＲＳ  ｒｅｓｏｕｒｃｅ  ｉｎｄｉｃａｔｏｒで区別される）を送信するとともに、端末装置がこの２つの信号を測定する（対応するＣＳＩ−ＲＳ  ｒｅｓｏｕｒｃｅ  ｓｅｔｔｉｎｇ  ｃｏｎｆｉｇｕｒａｔｉｏｎ及びｒｅｐｏｒｔｉｎｇ  ｓｅｔｔｉｎｇ  ｃｏｎｆｉｇｕｒａｔｉｏｎが存在する）ように設定してもよい。ＵＥにその復調能力を超えるｌａｙｅｒｓをスケジューリングすることを回避するために、ＮＷは以下の２つの方式の処理を行ってもよい。
【００８９】
一方式では、ネットワーク側がＣＳＩ−ＲＳ  １及びＣＳＩ−ＲＳ  ２に対してそれぞれ２つの参照信号のフィードバックＲＩ値の和の最大値を設定し、例えば、ＣＳＩ−ＲＳ  ｓｅｔｔｉｎｇ  ｃｏｎｆｉｇｕｒａｔｉｏｎにおいて該フィードバックＲＩ値の和の最大値を指定し、又は信号測定のためのトリガー信号において該フィードバックＲＩ値の和の最大値を指定し、又は専用ＤＣＩにおいて該フィードバックＲＩ値の和の最大値を指定する。
【００９０】
一方式では、ネットワーク側が２つのＣＳＩ−ＲＳに対応する２つの報告情報に対してそれぞれ２つの参照信号のフィードバックＲＩ値の和の最大値を設定し、例えば、Ｒｅｐｏｒｔｉｎｇ  ｓｅｔｔｉｎｇ  ｃｏｎｆｉｇｕｒａｔｉｏｎにおいて該フィードバックＲＩ値の和の最大値を指定し、又は報告情報のトリガー信号において該フィードバックＲＩ値の和の最大値を指定し、又は専用ＤＣＩにおいて該フィードバックＲＩ値の和の最大値を指定する。
【００９１】
好ましくは、該端末装置がネットワーク側からの第２構成情報を受信し、該第２構成情報が該各参照信号に対して構成されたポート数を含み、該複数の参照信号に対して構成されたポート数の和が該端末装置の能力に対応する値以下である。
【００９２】
例えば、ネットワーク側が２つの送信ノードを利用して端末装置へ異なるＮＲ−ＰＤＣＣＨ及びＮＲ−ＰＤＳＣＨを送信してもよい。この伝送方式をサポートするために、ＮＷが異なる送信ノードにおいて異なるＣＳＩ−ＲＳ（対応するポート数がそれぞれＰ１、Ｐ２と記され、異なるＣＳＩ−ＲＳが異なるＣＳＩ−ＲＳ  ｒｅｓｏｕｒｃｅ  ｉｎｄｉｃａｔｏｒで区別される）を送信するとともに、端末装置がこの２つの信号を測定する（対応するＣＳＩ−ＲＳ  ｒｅｓｏｕｒｃｅ  ｓｅｔｔｉｎｇ  ｃｏｎｆｉｇｕｒａｔｉｏｎ及びｒｅｐｏｒｔｉｎｇ  ｓｅｔｔｉｎｇ  ｃｏｎｆｉｇｕｒａｔｉｏｎが存在する）ように設定する。ＵＥにその復調能力を超えるｌａｙｅｒｓをスケジューリングすることを回避するために、ネットワーク側は端末装置の測定して報告したＣＳＩのすべてのポート数の和Ｐ１＋Ｐ２がＵＥの最大能力以下であるように設定する。
【００９３】
好ましくは、該端末装置は測定すべき参照信号が該複数の参照信号であることを示すためのネットワーク側からの第３構成情報を受信する。
【００９４】
好ましくは、該第３構成情報に構成された測定すべき参照信号の数が同時に受信すべきＰＤＣＣＨの数に等しく、又は同時に受信すべきＰＤＳＣＨの数、又は、同時に受信すべきＰＤＣＣＨとＰＤＳＣＨとの数の和に等しい。
【００９５】
好ましくは、本願の実施例では、ネットワーク機器が更にランクインジケータの制約条件、例えば、ある参照信号のランクインジケータの最大値又は複数の参照信号のランクインジケータの和の最大値を設定する。
【００９６】
好ましくは、端末装置がネットワークに入った後、デフォルト状態が１つのＰＤＣＣＨ（又はＰＤＳＣＨ）を受信する状態であり、ネットワークの構成において、複数のＰＤＣＣＨ（又はＰＤＳＣＨ）を受信する状態に入ることを開始してもよい。
【００９７】
従って、本願の実施例では、端末装置が複数の参照信号を測定し、前記端末装置が測定結果に基づき、前記複数の参照信号のうちの各参照信号に対応する、ランクインジケータを含む報告情報を決定し、前記端末装置が前記各参照信号に対応する、ランクインジケータを含む報告情報をネットワーク側に送信することにより、複数のダウンリンクチャネル伝送をサポートする参照信号の測定及びフィードバックを実現する。
【００９８】
図３は本願の実施例に係る無線通信方法２００の模式的なフローチャートである。方法２００は以下の少なくとも一部を含む。
【００９９】
２１０、第１送信ノードが端末装置から送信された第１メッセージを受信し、該第１メッセージが、該第１送信ノードから送信された参照信号に対応する、ランクインジケータを含む報告情報と、第２送信ノードから送信された参照信号に対応する報告情報内のランクインジケータとを含む。
【０１００】
２２０、該第１メッセージに基づき、第１送信ノードが該端末装置へダウンリンク信号を送信する伝送層の層数を決定する。
【０１０１】
一実現方式では、該第１送信ノードと該第２送信ノードの優先度順序及び該第１メッセージに基づき、該第１送信ノードが該端末装置へ該ダウンリンク信号を送信する伝送層の層数を決定する。
【０１０２】
好ましくは、該第１送信ノードの優先度が該第２送信ノードの優先度より高い場合、該第１送信ノードの参照信号に対応する報告情報内のランクインジケータの値を、該第１送信ノードが該端末装置へ該ダウンリンク信号を送信する伝送層の層数として決定する。
【０１０３】
好ましくは、該第１送信ノードの優先度が該第２送信ノードより低い場合、該端末装置のサポートする最大伝送層層数と該第１送信ノードの参照信号に対応する報告情報内のランクインジケータの値との差を、該端末装置へ該ダウンリンク信号を送信する伝送層の層数として決定する。
【０１０４】
例えば、ＮＲシステムにおいて、ネットワーク側が２つの送信ノードを利用して端末装置へ異なるＮＲ−ＰＤＣＣＨ及びＮＲ−ＰＤＳＣＨを送信してもよい。この伝送方式をサポートするために、ネットワーク側が異なる送信ノードにおいて異なるＣＳＩ−ＲＳ（それぞれＣＳＩ−ＲＳ  １、ＣＳＩ−ＲＳ  ２と記され、異なるＣＳＩ−ＲＳが異なるＣＳＩ−ＲＳリソースインデックス又は識別子（ｒｅｓｏｕｒｃｅ  ｉｎｄｉｃａｔｏｒ）で区別される）を送信するとともに、端末装置がこの２つの信号を測定する（対応するＣＳＩ−ＲＳ  ｒｅｓｏｕｒｃｅ  ｓｅｔｔｉｎｇ  ｃｏｎｆｉｇｕｒａｔｉｏｎ及びｒｅｐｏｒｔｉｎｇ  ｓｅｔｔｉｎｇ  ｃｏｎｆｉｇｕｒａｔｉｏｎが存在する）ように設定してもよい。端末装置にその復調能力を超える伝送層（ｌａｙｅｒｓ）数をスケジューリングすることを回避するために、端末装置は報告時に２つのＲＩを同じメッセージに含ませ、例えば、
送信ノード１に送信したメッセージ１にはＲＩ１及びＲＩ２が含まれ、送信ノード１に送信したメッセージ１にはＲＩ２が含まれ、又は、
送信ノード１に送信したメッセージ１にはＲＩ２が含まれ、送信ノード１に送信したメッセージ１にはＲＩ１及びＲＩ２が含まれ、又は、
送信ノード１に送信したメッセージ１にはＲＩ１及びＲＩ２が含まれ、送信ノード１に送信したメッセージ１にはＲＩ１及びＲＩ２が含まれる。
【０１０５】
ネットワーク側が事前決定方式で対応する操作を行ってもよく、例えばネットワーク側が送信ノード１の優先度を低く規定することができ、その場合、送信ノード１が受信されたＲＩ１及びＲＩ２に基づくとき、送信ノード２がＲＩ２に応じて端末装置へダウンリンク信号を送信すると仮定する場合、送信ノード１が端末装置の能力及びＲＩ２に基づいてその送信したデータのｌａｙｅｒ数（≦ＵＥ最大能力に対応するｌａｙｅｒ数Ｎ−ＲＩ）を決定する。
【０１０６】
一実現方式では、該第１メッセージに基づき、該第１送信ノードと該第２送信ノードとが、該端末装置へ該ダウンリンク信号を送信する伝送層の層数を協議する。
【０１０７】
従って、本願の実施例では、第１送信ノードがその送信した参照信号に対応するランクインジケータを含む報告情報及び他の送信ノードから送信された参照信号に対応するランクインジケータを含む報告情報に基づき、ダウンリンク信号の伝送層の層数を決定することにより、ネットワーク側が端末装置に多すぎる伝送層をスケジューリングして端末装置の能力を超えることを回避することができ、それにより端末装置がデータの一部を復調又は廃棄できないため、システムリソースが浪費されることを回避する。
【０１０８】
図４は本願の実施例に係る端末装置３００の模式的なブロック図である。図４に示すように、該端末装置３００は処理ユニット３１０及び通信ユニット３２０を備え、
前記処理ユニット３１０は複数の参照信号を測定し、測定結果に基づき、前記複数の参照信号のうちの各参照信号に対応する、ランクインジケータを含む報告情報を決定することに用いられ、
前記通信ユニット３２０は前記各参照信号に対応する、ランクインジケータを含む報告情報をネットワーク側に送信することに用いられる。
【０１０９】
好ましくは、前記複数の参照信号が、前記端末装置にサービスを共同で提供する複数の送信ノード又は複数のダウンリンク送信ビームからのものである。
【０１１０】
好ましくは、前記通信ユニット３２０は、更に、
前記参照信号自体に対応する、ランクインジケータを含む報告情報を前記参照信号の送信側にそれぞれ送信することに用いられる。
【０１１１】
好ましくは、前記各参照信号に対応する報告情報内のランクインジケータの値が、前記端末装置の能力に対応する値以下であり、及び／又は前記端末装置に構成された前記各参照信号のそれぞれに対応するポート数値以下である。
【０１１２】
好ましくは、前記複数の参照信号に対応する報告情報内のランクインジケータの値の和が、前記端末装置の能力に対応する値以下である。
【０１１３】
好ましくは、前記通信ユニット３２０は、更に、
第１メッセージを前記複数の参照信号のうちの少なくとも１つの第１参照信号の送信側に送信することに用いられ、前記第１メッセージが、前記第１参照信号に対応する、ランクインジケータを含む報告情報を含み、
前記第１メッセージは、更に前記複数の参照信号のうちの少なくとも１つの第２参照信号に対応する報告情報に含まれるランクインジケータを含む。
【０１１４】
好ましくは、前記複数の参照信号に対応する報告情報内のランクインジケータの値の和が前記端末装置の能力に対応する値より大きい。
【０１１５】
好ましくは、前記各参照信号に対応する報告情報内のランクインジケータの値がそれぞれに対応する報告情報内のランクインジケータの最大値以下であり、又は、
前記複数の参照信号に対応する報告情報内のランクインジケータの値の和が前記複数の参照信号に対応する報告情報内のランクインジケータの値の和の最大値以下である。
【０１１６】
好ましくは、前記処理ユニット３１０は、更に、
自身の能力に基づき、前記各参照信号に対応する報告情報内のランクインジケータの最大値を決定し、
前記各参照信号に対応する報告情報内のランクインジケータの最大値及び前記測定結果に基づき、前記各参照信号のそれぞれに対応する、ランクインジケータを含む報告情報を決定することに用いられる。
【０１１７】
好ましくは、前記各参照信号に対応する報告情報内のランクインジケータの最大値が、前記端末装置の能力に対応する値を前記複数の参照信号の数で割った値を切り下げた値に等しい。
【０１１８】
好ましくは、前記通信ユニット３２０は、更に、
前記端末装置がネットワーク側からの第１構成情報を受信することに用いられ、前記第１構成情報は、
前記各参照信号に対応する報告情報内のランクインジケータの最大値、及び／又は、
前記複数の参照信号に対応する報告情報内のランクインジケータの値の和の最大値を示すことに用いられる。
【０１１９】
好ましくは、異なる参照信号の第１構成情報が、前記参照信号のインデックスで区別される。
【０１２０】
好ましくは、前記第１構成情報は前記参照信号の設定構成に含まれ、又は前記参照信号を測定するように前記端末装置をトリガーするトリガー信号に含まれ、又は前記第１構成情報専用のダウンリンク制御情報ＤＣＩに含まれる。
【０１２１】
好ましくは、異なる参照信号の第１構成情報が前記報告情報のインデックスで区別される。
【０１２２】
好ましくは、前記第１構成情報は前記報告情報の設定構成に含まれ、又は報告するように前記端末装置をトリガーするトリガー信号に含まれ、又は前記第１構成情報専用のＤＣＩに含まれる。
【０１２３】
好ましくは、前記通信ユニット３２０は、更に、
ネットワーク側からの第２構成情報を受信することに用いられ、前記第２構成情報が、前記各参照信号に対して構成されたポート数を含み、前記複数の参照信号に対して構成されたポート数の和が前記端末装置の能力に対応する値以下である。
【０１２４】
好ましくは、前記通信ユニット３２０は、更に、
測定すべき参照信号が前記複数の参照信号であることを示すためのネットワーク側からの第３構成情報を受信することに用いられる。
【０１２５】
好ましくは、該端末装置３００は方法実施例における端末装置に対応してもよく、該端末装置の対応操作を実現することができ、簡潔のため、ここで詳細な説明は省略する。
【０１２６】
図５は本願の実施例に係る送信ノード４００の模式的なブロック図である。前記送信ノード４００は第１送信ノードであり、前記送信ノードは通信ユニット４１０及び処理ユニット４２０を備え、
前記通信ユニット４１０は端末装置から送信された第１メッセージを受信することに用いられ、前記第１メッセージが、前記第１送信ノードから送信された参照信号に対応する、ランクインジケータを含む報告情報と、第２送信ノードから送信された参照信号に対応する報告情報に含まれるランクインジケータとを含み、
前記処理ユニット４２０は前記第１メッセージに基づき、前記端末装置へダウンリンク信号を送信する伝送層の層数を決定することに用いられる。
【０１２７】
好ましくは、前記処理ユニット４２０は、更に、
前記第１送信ノードと前記第２送信ノードの優先度順序及び前記第１メッセージに基づき、前記端末装置へ前記ダウンリンク信号を送信する伝送層の層数を決定することに用いられる。
【０１２８】
好ましくは、前記処理ユニット４２０は、更に、
前記第１送信ノードの優先度が前記第２送信ノードの優先度より高い場合、前記第１送信ノードの参照信号に対応する報告情報内のランクインジケータの値を、前記第１送信ノードが前記端末装置へ前記ダウンリンク信号を送信する伝送層の層数として決定することに用いられる。
【０１２９】
好ましくは、前記処理ユニット４２０は、更に、
前記第１送信ノードの優先度が前記第２送信ノードより低い場合、前記端末装置のサポートする最大伝送層層数と前記第１送信ノードの参照信号に対応する報告情報内のランクインジケータの値との差を、前記端末装置へ前記ダウンリンク信号を送信する伝送層の層数として決定することに用いられる。
【０１３０】
好ましくは、前記処理ユニット４２０は、更に、
前記第１メッセージに基づき、前記第２送信ノードと前記端末装置へ前記ダウンリンク信号を送信する伝送層の層数を協議することに用いられる。
【０１３１】
好ましくは、該送信ノード４００は方法実施例における第１送信ノードに対応してもよく、該第１送信ノードの対応操作を実現することができ、簡潔のため、ここで詳細な説明は省略する。
【０１３２】
図６は本願の実施例のシステムチップ５００の構造模式図である。図６におけるシステムチップ５００は入力インターフェース５０１、出力インターフェース５０２、プロセッサ５０３及びメモリ５０４を備え、それらが内部通信接続経路によって接続されてもよく、前記プロセッサ５０３が前記メモリ８０４におけるコードを実行することに用いられる。
【０１３３】
好ましくは、前記コードが実行されるとき、前記プロセッサ５０３が方法実施例における送信ノードの実行する方法を実現する。簡潔のため、ここで詳細な説明は省略する。
【０１３４】
好ましくは、前記コードが実行されるとき、前記プロセッサ５０３が方法実施例における端末装置の実行する方法を実現する。簡潔のため、ここで詳細な説明は省略する。
【０１３５】
図７は本願の実施例に係る通信装置６００の模式的なブロック図である。図７に示すように、該通信装置６００はプロセッサ６１０及びメモリ６２０を備える。該メモリ６２０にプログラムコードが記憶されてもよく、該プロセッサ６１０が該メモリ６２０に記憶されるプログラムコードを実行することができる。
【０１３６】
好ましくは、図７に示すように、該通信装置６００は送受信機６３０を備えてもよく、プロセッサ６１０は送受信機６３０が外部と通信するように制御することができる。
【０１３７】
好ましくは、該プロセッサ６１０はメモリ６２０に記憶されるプログラムコードを呼び出して、方法実施例における送信ノードの対応操作を実行することができ、簡潔のため、ここで詳細な説明は省略する。
【０１３８】
好ましくは、該プロセッサ６１０はメモリ６２０に記憶されるプログラムコードを呼び出して、方法実施例における端末装置の対応操作を実行することができ、簡潔のため、ここで詳細な説明は省略する。
【０１３９】
本願の実施例のプロセッサは信号処理能力を有する集積回路チップであってもよいと理解すべきである。実現過程において、上記方法実施例の各ステップはプロセッサにおけるハードウェアの集積論理回路又はソフトウェア形式の命令で完了してもよい。上記プロセッサは汎用プロセッサ、デジタルシグナルプロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサは更にいかなる通常のプロセッサ等であってもよい。本願の実施例に開示される方法のステップはハードウェア復号プロセッサで実行して完了し、又は復号プロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリに位置し、プロセッサがメモリにおける情報を読み取り、そのハードウェアと組み合わせて上記方法のステップを完了する。
【０１４０】
本願の実施例におけるメモリは揮発性メモリ又は不揮発性メモリであってもよく、又は、揮発性メモリ及び不揮発性メモリを含んでもよいと理解される。不揮発性メモリは読み出し専用メモリ（ＲＯＭ：Ｒｅａｄ−Ｏｎｌｙ  Ｍｅｍｏｒｙ）、プログラム可能読み出し専用メモリ（ＰＲＯＭ：Ｐｒｏｇｒａｍｍａｂｌｅ  ＲＯＭ）、消去可能プログラム可能読み出し専用メモリ（ＥＰＲＯＭ：Ｅｒａｓａｂｌｅ  ＰＲＯＭ）、電気的消去可能プログラム可能読み出し専用メモリ（ＥＥＰＲＯＭ：Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ：Ｒａｎｄｏｍ  Ａｃｃｅｓｓ  Ｍｅｍｏｒｙ）であってもよい。制限的ではなく、例示的な説明によって、多くの形式のＲＡＭ、例えばスタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、シンクロナスダイナミックランダムアクセスメモリ（ＳＤＲＡＭ：Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ：Ｅｎｈａｎｃｅｄ  ＳＤＲＡＭ）、シンクリンクダイナミックランダムアクセスメモリ（ＳＬＤＲＡＭ：Ｓｙｎｃｈｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）が利用可能である。ただし、本明細書に説明されるシステム及び方法のメモリはこれらのメモリ及び任意の他の適切なタイプのメモリを含むが、それらに限らないように意図される。
【０１４１】
当業者であれば、本明細書に開示される実施例を参照して説明した各例示的なユニット及びアルゴリズムステップは、電子ハードウェア、又はコンピュータソフトウェア及び電子ハードウェアの組み合わせで実現されてもよいと理解される。これらの機能をハードウェア又はソフトウェア方式で実行するかは、技術案の特定応用及び設計制約条件によって決定される。当業者は各特定応用に対して異なる方法で説明される機能を実現することができるが、このような実現は本願の範囲を超えると見なされるべきではない。
【０１４２】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１４３】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１４４】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１４５】
また、本願の各実施例では、各機能ユニットは１つの処理ユニットに統合されてもよく、各ユニットは独立して物理的に存在してもよく、２つ又は２つ以上のユニットは１つのユニットに統合されてもよい。
【０１４６】
前記機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク機器等であってもよい）に本願の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１４７】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【手続補正２】
【補正対象書類名】特許請求の範囲
【補正対象項目名】全文
【補正方法】変更
【補正の内容】
【特許請求の範囲】
【請求項１】
無線通信方法であって、
端末装置が複数の参照信号を測定することと、
前記端末装置が測定結果に基づき、前記複数の参照信号のうちの各参照信号に対応する、ランクインジケータを含む報告情報を決定することと、
前記端末装置が前記各参照信号に対応する、ランクインジケータを含む報告情報をネットワーク側に送信することと、を含むことを特徴とする、前記無線通信方法。
【請求項２】
前記端末装置が前記各参照信号に対応する、ランクインジケータを含む報告情報をネットワーク側に送信することは、
前記端末装置が、前記参照信号自体に対応する、ランクインジケータを含む報告情報をそれぞれ前記参照信号の送信側に送信することを含むことを特徴とする
請求項１に記載の方法。
【請求項３】
前記端末装置が前記各参照信号に対応する、ランクインジケータを含む報告情報をネットワーク側に送信することは、
第１メッセージを前記複数の参照信号のうちの少なくとも１つの第１参照信号の送信側に送信することであって、前記第１メッセージが、前記第１参照信号に対応する、ランクインジケータを含む報告情報を含むこと、を含み、
前記第１メッセージは、更に前記複数の参照信号のうちの少なくとも１つの第２参照信号に対応する報告情報に含まれるランクインジケータを含むことを特徴とする
請求項１又は２に記載の方法。
【請求項４】
端末装置であって、
複数の参照信号を測定し、測定結果に基づき、前記複数の参照信号のうちの各参照信号に対応する、ランクインジケータを含む報告情報を決定するように構成される処理ユニットと、
前記各参照信号に対応する、ランクインジケータを含む報告情報をネットワーク側に送信するように構成される通信ユニットと、を備えることを特徴とする、前記端末装置。
【請求項５】
前記複数の参照信号が、前記端末装置にサービスを共同で提供する複数の送信ノード又は複数のダウンリンク送信ビームからのものであることを特徴とする
請求項４に記載の端末装置。
【請求項６】
前記通信ユニットは、更に、
前記参照信号自体に対応する、ランクインジケータを含む報告情報をそれぞれ前記参照信号の送信側に送信することに用いられることを特徴とする
請求項４又は５に記載の端末装置。
【請求項７】
前記各参照信号に対応する報告情報内のランクインジケータの値が、前記端末装置の能力に対応する値以下であり、及び／又は前記端末装置に構成された前記各参照信号のそれぞれに対応するポート数値以下であることを特徴とする
請求項４〜６のいずれか１項に記載の端末装置。
【請求項８】
前記複数の参照信号に対応する報告情報内のランクインジケータの値の和が、前記端末装置の能力に対応する値以下であることを特徴とする
請求項４〜７のいずれか１項に記載の端末装置。
【請求項９】
前記通信ユニットは、更に、
第１メッセージを前記複数の参照信号のうちの少なくとも１つの第１参照信号の送信側に送信するように構成され、前記第１メッセージが、前記第１参照信号に対応する、ランクインジケータを含む報告情報を含み、
前記第１メッセージは、更に前記複数の参照信号のうちの少なくとも１つの第２参照信号に対応する報告情報に含まれるランクインジケータを含むことを特徴とする
請求項４〜７のいずれか１項に記載の端末装置。
【請求項１０】
前記複数の参照信号に対応する報告情報内のランクインジケータの値の和が前記端末装置の能力に対応する値より大きい
請求項９に記載の端末装置。
【請求項１１】
前記各参照信号に対応する報告情報内のランクインジケータの値がそれぞれに対応する報告情報内のランクインジケータの最大値以下であり、又は、
前記複数の参照信号に対応する報告情報内のランクインジケータの値の和が前記複数の参照信号に対応する報告情報内のランクインジケータの値の和の最大値以下であることを特徴とする
請求項４〜９のいずれか１項に記載の端末装置。
【請求項１２】
前記処理ユニットは、更に、
自身の能力に基づき、前記各参照信号に対応する報告情報内のランクインジケータの最大値を決定し、
前記各参照信号に対応する報告情報内のランクインジケータの最大値及び前記測定結果に基づき、前記各参照信号のそれぞれに対応する、ランクインジケータを含む報告情報を決定するように構成され、
前記各参照信号に対応する報告情報内のランクインジケータの最大値が、前記端末装置の能力に対応する値を前記複数の参照信号の数で割った値を切り下げた値に等しいことを特徴とする
請求項１１に記載の端末装置。
【請求項１３】
前記通信ユニットは、更に、
前記端末装置がネットワーク側からの第１構成情報を受信するように構成され、前記第１構成情報は、
前記各参照信号に対応する報告情報内のランクインジケータの最大値、及び／又は、
前記複数の参照信号に対応する報告情報内のランクインジケータの値の和の最大値を示すことに用いられることを特徴とする
請求項１０に記載の端末装置。
【請求項１４】
異なる参照信号の第１構成情報が、前記参照信号のインデックスで区別され、
前記第１構成情報は前記参照信号の設定構成に含まれ、又は前記参照信号を測定するように前記端末装置をトリガーするトリガー信号に含まれ、又は前記第１構成情報専用のダウンリンク制御情報ＤＣＩに含まれ、又は、
異なる参照信号の第１構成情報が前記報告情報のインデックスで区別され、
前記第１構成情報は前記報告情報の設定構成に含まれ、又は報告するように前記端末装置をトリガーするトリガー信号に含まれ、又は前記第１構成情報専用のＤＣＩに含まれることを特徴とする
請求項１３に記載の端末装置。
【請求項１５】
前記通信ユニットは、更に、
ネットワーク側からの第２構成情報を受信するように構成され、前記第２構成情報が、前記各参照信号に対して構成されたポート数を含み、前記複数の参照信号に対して構成されたポート数の和が前記端末装置の能力に対応する値以下であり、又は、 前記通信ユニットは、更に、
測定すべき参照信号が前記複数の参照信号であることを示すためのネットワーク側からの第３構成情報を受信するように構成されることを特徴とする
請求項４〜１４のいずれか１項に記載の端末装置。
【国際調査報告】
2020530216.tif 000010
2020530216.tif 000011
2020530216.tif 000012
2020530216.tif 000013